(57)【特許請求の範囲】
【請求項１】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法（ＭＥＴ１、ＭＥＴ２）は、
−  前記組合せ（ＣＯＭＢ１）の推定値から少なくとも１つの以前の送信の前記第１データ（Ｄ１）の推定値を減算することによって、前記第２ネットワーク・ノード（ＭＳ、ＲＳ、ＢＳ）で前記少なくとも第２データ（Ｄ２）を回復するステップと、
−  前記組合せ（ＣＯＭＢ１）の前記推定値から少なくとも１つの以前の送信の前記少なくとも第２データ（Ｄ２）の推定値を減算することによって、前記第２ネットワーク・ノード（ＭＳ、ＲＳ、ＢＳ）で前記第１データ（Ｄ１）を回復するステップと
をさらに含み、
前記第１否定応答（Ｎ１）および少なくとも１つの第２否定応答（Ｎ２）が事前定義の時間間隔（ＴＩ）以内に前記第２ネットワーク・ノード（ＭＳ、ＲＳ、ＢＳ）で送信される場合に、前記組合せ（ＣＯＭＢ１、ＣＯＭＢ３、ＣＯＭＢ４、ＣＯＭＢ５）に関する判定する前記ステップ（Ｍ１／１１）が適用され、前記組合せ（ＣＯＭＢ１、ＣＯＭＢ３、ＣＯＭＢ４、ＣＯＭＢ５）の前記送信の表示は、事前定義の時間間隔（ＴＩ）以内に前記第１否定応答（Ｎ１）および前記少なくとも１つの第２否定応答（Ｎ２）を送信することによって前記第２ネットワーク・ノード（ＭＳ、ＲＳ、ＢＳ）に暗黙のうちに提供されることを特徴とする方法（ＭＥＴ１、ＭＥＴ２）。
【請求項２】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法（ＭＥＴ１、ＭＥＴ２）は、
−  前記組合せ（ＣＯＭＢ１）の推定値から少なくとも１つの以前の送信の前記第１データ（Ｄ１）の推定値を減算することによって、前記第２ネットワーク・ノード（ＭＳ、ＲＳ、ＢＳ）で前記少なくとも第２データ（Ｄ２）を回復するステップと、
−  前記組合せ（ＣＯＭＢ１）の前記推定値から少なくとも１つの以前の送信の前記少なくとも第２データ（Ｄ２）の推定値を減算することによって、前記第２ネットワーク・ノード（ＭＳ、ＲＳ、ＢＳ）で前記第１データ（Ｄ１）を回復するステップと
をさらに含み、
前記方法（ＭＥＴ２）は、第１ユーザ・データおよび少なくとも第２ユーザ・データの再送信である前記組合せ（ＣＯＭＢ１、ＣＯＭＢ３、ＣＯＭＢ４、ＣＯＭＢ５）と前記第１データ（Ｄ１）の再送信および前記少なくとも第２データ（Ｄ２）の第１送信である組合せ（ＣＯＭＢ２）との間で切り替えるステップをさらに含むことを特徴とする方法（ＭＥＴ２）。
【請求項３】
前記切り替えるステップは、以前に受信された否定応答の個数に依存するおよび／または現在の無線リンク品質に依存する前記第１ネットワーク・ノード（ＢＳ、ＲＳ、ＭＳ）でのバッファの充てんレベルに依存する、請求項２に記載の方法（ＭＥＴ２）。
【請求項４】
前記重ね合せは、変調（ＭＯＤ）の前の前記第１データ（Ｄ１）および前記少なくとも第２データ（Ｄ２）の２を法とする加算であり、または、前記重ね合せは、変調（ＭＯＤ）の後の、前記第１データ（Ｄ１）および前記少なくとも第２データ（Ｄ２）の実数振幅値の加算と前記第１データ（Ｄ１）および前記少なくとも第２データ（Ｄ２）の虚数振幅値の加算とであり、前記第１データ（Ｄ１）および前記少なくとも第２データ（Ｄ２）は、同一の変調方式を用いてまたは異なる変調方式を用いて変調される、請求項１又は２に記載の方法（ＭＥＴ１、ＭＥＴ２）。
【請求項５】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法（ＭＥＴ１、ＭＥＴ２）は、前記第１データ（Ｄ１）および前記少なくとも第２データ（Ｄ２）の前記重ね合せである前記組合せ（ＣＯＭＢ１、ＣＯＭＢ２、ＣＯＭＢ３、ＣＯＭＢ４、ＣＯＭＢ５）と前記第１データ（Ｄ１）を前記少なくとも第２データ（Ｄ２）に多重化することによって判定される組合せ（ＣＯＭＢ６）との間で切り替えるステップ（Ｍ２／２）をさらに含み、かつ／または前記方法は、前記組合せ（ＣＯＭＢ１、ＣＯＭＢ２、ＣＯＭＢ３、ＣＯＭＢ４、ＣＯＭＢ５）の前記送信と前記第１データ（Ｄ１）の単一再送信との間で切り替えるステップ（Ｍ２／２）をさらに含むことを特徴とする方法（ＭＥＴ１、ＭＥＴ２）。
【請求項６】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法（ＭＥＴ１、ＭＥＴ２）は、前記第１データ（Ｄ１）および／または前記少なくとも第２データ（Ｄ２）の少なくとも１つの物理層処理パラメータ（ＷＦ、ＨＰＮ２、ＲＶ２、ＭＳ２、Ｐ、ＣＲＣ−ＩＮＦＯ）を前記組合せ（ＣＯＭＢ１、ＣＯＭＢ２、ＣＯＭＢ３、ＣＯＭＢ４、ＣＯＭＢ５）に多重化するステップ（ＭＵＸ）をさらに含むことを特徴とする方法（ＭＥＴ１、ＭＥＴ２）。
【請求項７】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法（ＭＥＴ１、ＭＥＴ２）は、前記第１データ（Ｄ１）および前記少なくとも第２データ（Ｄ２）のサービス品質クラスに依存して前記組合せ（ＣＯＭＢ１、ＣＯＭＢ２、ＣＯＭＢ３、ＣＯＭＢ４、ＣＯＭＢ５、ＣＯＭＢ６）の前記送信を適用しまたは適合させるステップをさらに含むことを特徴とする方法（ＭＥＴ１、ＭＥＴ２）。
【請求項８】
前記方法は、前記第１ネットワーク・ノード（ＢＳ、ＭＳ）によって前記第２ネットワーク・ノード（ＭＳ、ＢＳ）に前記組合せ（ＣＯＭＢ１、ＣＯＭＢ２、ＣＯＭＢ３、ＣＯＭＢ４、ＣＯＭＢ５）の前記送信の表示を提供するステップをさらに含み、前記組合せ（ＣＯＭＢ１、ＣＯＭＢ２、ＣＯＭＢ３、ＣＯＭＢ４、ＣＯＭＢ５）の前記送信は、前記無線通信システム（ＲＣＳ）の第３ネットワーク・ノード（ＲＳ）によって提供される、請求項１、２及び４乃至７のいずれか１項に記載の方法。
【請求項９】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記単一のデータ・ソースは、前記無線アクセス・ネットワーク（ＲＡＮ）の前記第１ネットワーク・ノード（ＭＳ、ＲＳ、ＢＳ）または第３ネットワーク・ノード（ＭＳ）であり、あるいは、前記単一のデータ・シンクは、前記第２ネットワーク・ノード（ＭＳ、ＲＳ、ＢＳ）または前記第３ネットワーク・ノード（ＭＳ）であることを特徴とする方法。
【請求項１０】
無線通信システム（ＲＣＳ）の無線アクセス・ネットワーク（ＲＡＮ）の第１ネットワーク・ノード（ＢＳ、ＲＳ、ＭＳ）から前記無線アクセス・ネットワーク（ＲＡＮ）の第２ネットワーク・ノード（ＭＳ、ＲＳ、ＢＳ）にデータを送信する方法（ＭＥＴ１、ＭＥＴ２）であって、前記方法（ＭＥＴ１、ＭＥＴ２）は、
−  前記第２ネットワーク・ノード（ＭＳ、ＲＳ、ＢＳ）が、第１データ（Ｄ１）をエラーなしで回復できない場合に、前記第２ネットワーク・ノード（ＭＳ、ＲＳ、ＢＳ）から第１否定応答（Ｎ１）を送信するステップ（Ｍ１／６）であって、前記第１データ（Ｄ１）は、前記無線アクセス・ネットワーク（ＲＡＮ）の単一のデータ・ソースからのデータまたは前記無線アクセス・ネットワーク（ＲＡＮ）の単一のデータ・シンクのためのデータである、ステップ（Ｍ１／６）と、
−  前記第１データ（Ｄ１）および少なくとも第２データ（Ｄ２）の重ね合せを適用することによって、前記第１データ（Ｄ１）および前記少なくとも第２データ（Ｄ２）の組合せ（ＣＯＭＢ１、ＣＯＭＢ３、ＣＯＭＢ４、ＣＯＭＢ５）を判定するステップ（Ｍ１／１１）であって、前記少なくとも第２データ（Ｄ２、Ｄ９）は、前記単一のデータ・ソースからのさらなるデータまたは前記単一のデータ・シンクのためのさらなるデータである、ステップ（Ｍ１／１１）と、
−  前記組合せ（ＣＯＭＢ１、ＣＯＭＢ３、ＣＯＭＢ４、ＣＯＭＢ５）を前記第２ネットワーク・ノード（ＭＳ、ＲＳ、ＢＳ）に送信するステップ（Ｍ１／１８）と
を含み、前記少なくとも第２データ（Ｄ２）は、それに関して第２否定応答（Ｎ２）が前記第２ネットワーク・ノード（ＭＳ、ＲＳ、ＢＳ）から受信されたデータであり、
前記方法は、前記第１データ（Ｄ１）および前記少なくとも第２データ（Ｄ２）をエラーなしで回復できる場合またはできない場合に、前記第２ネットワーク・ノード（ＭＳ、ＲＳ、ＢＳ）から前記第１ネットワーク・ノード（ＢＳ、ＲＳ、ＭＳ）に前記受信された組合せ（ＣＯＭＢ１、ＣＯＭＢ３、ＣＯＭＢ４、ＣＯＭＢ５）の単一の肯定応答または否定応答を送信するステップ（Ｍ１／２４）をさらに含むことを特徴とする方法。
【請求項１１】
前記受信された組合せ（ＣＯＭＢ１、ＣＯＭＢ３、ＣＯＭＢ４、ＣＯＭＢ５）の前記否定応答は、前記第２ネットワーク・ノード（ＭＳ、ＲＳ、ＢＳ）での受信の品質を示すインジケータを含む、請求項１０に記載の方法。
【発明の詳細な説明】
【技術分野】
【０００１】
本発明は、無線通信に関し、排他的ではなくより具体的には、無線通信でのデータの再送信に関する。
【背景技術】
【０００２】
様々な再送信方式が、基地局と移動局との間の無線リンクでの伝送エラーを訂正するために開発されてきた。
【０００３】
自動再送要求（ＡＲＱ＝ａｕｔｏｍａｔｉｃ  ｒｅｐｅａｔ  ｒｅｑｕｅｓｔ）方式を使用すると、送信器は、送信されるデータに巡回冗長検査情報（ＣＲＣ＝ｃｙｃｌｉｃ  ｒｅｄｕｎｄａｎｃｙ  ｃｈｅｃｋ）を追加する。受信器は、ＣＲＣ情報を使用して、受信データ内のエラーを検出することができる。エラーの検出に応じて、受信器は、肯定応答（ＡＣＫ＝ａｃｋｎｏｗｌｅｄｇｅｍｅｎｔ）または否定応答（ＮＡＣＫ＝ｎｅｇａｔｉｖｅ  ａｃｋｎｏｗｌｅｄｇｅｍｅｎｔ）を送信器に送信する。受信器は、受信データを格納せず、受信データをエラーなしで受信することはできない。送信器がＮＡＣＫを受信する場合には、送信器は、そのデータを少なくとも２回再送信する。
【０００４】
ハイブリッドＡＲＱ方式（ＨＡＲＱ＝ｈｙｂｒｉｄ  ＡＲＱ）は、ソフト・コンバイニング（ｓｏｆｔ  ｃｏｍｂｉｎｉｎｇ）をＡＲＱ方式と組み合わせる。ソフト・コンバイニングは、受信器のデータ・バッファ内に誤って受信されたデータ・パケットを格納することによって、誤って受信されたデータ・パケットの破棄を防ぐ。これは、（チェイス・コンバイニング（ｃｈａｓｅ  ｃｏｍｂｉｎｉｎｇ）として示される）すべての情報ビットを伴う、またパリティ・ビットを追加することによる冗長情報を伴う同一の形でのデータ・パケット全体の再送信を可能にする。パリティ・ビットは、特定の符号化方式および特定のレート・マッチングを使用して情報ビットから計算される。代替案では、パリティ・ビットのほかに、（増分冗長性（ｉｎｃｒｅｍｅｎｔａｌ  ｒｅｄｕｎｄａｎｃｙ）として示される）情報ビットのサブセットのみまたは情報ビットなしが再送信される。
【０００５】
ＨＡＲＱプロセスは、データの第１送信と、肯定応答または第１送信が肯定応答されない場合の再送信のうちの１つが肯定応答されるか再送信の所定の回数が実行されるまでのデータのパリティ情報の１つまたは複数の再送信のいずれかとを含む。
【０００６】
通常、複数のＨＡＲＱプロセスが、同時に実行されつつあり、複数のＨＡＲＱプロセスのそれぞれは、単一のプロトコル・データ・ユニットの送信および肯定応答に関する。識別子を使用して、複数のＨＡＲＱプロセスに肯定応答および否定応答を割り当てることができる。たとえば、ＬＴＥでは、８つまでのＨＡＲＱプロセスが、端末上で同時に実行されつつある。その結果、ＨＡＲＱプロセスの８つの異なる識別子が必要である。ＨＡＲＱプロセスの識別子は、好ましくは０から７までの範囲の、整数値を含むことができる。
【０００７】
協調アップリンク中継方式では、基地局は、第１移動局から第１データ・パケットを不正に受信し、第２移動局から第２データ・パケットを不正に受信し、移動局と基地局との間の中継ノードは、第１データ・パケットおよび第２データ・パケットを正しく受信する。中継ノードは、第１移動局のための第１データ・パケットの再送信と第２移動局のための第２データ・パケットの再送信とを組み合わせることによってネットワーク符号化を実行し、組み合わされた再送信を基地局に送信する。
【０００８】
マルチユーザＡＲＱ方式では、基地局は、第１データ・パケットを第１移動局に、第２データ・パケットを第２移動局に送信する。第１移動局は、第１データ・パケットを不正に受信するが第２データ・パケットを正しく受信する場合がある。同様に、第２移動局は、第２データ・パケットを不正に受信する場合があるが第１データ・パケットを正しく受信する場合がある。基地局は、第１移動局のための第１データ・パケットの再送信と第２移動局のための第２データ・パケットの再送信とを組み合わせることによってネットワーク符号化を実行し、組み合わされた再送信を第１移動局および第２移動局にマルチキャストしまたはブロードキャストする。
【０００９】
マルチユーザＡＲＱ方式について、第１移動局は、第２移動局宛の第２データ・パケットをも復号しなければならないので、電力を浪費する。同様に、第２移動局は、第１移動局宛の第１データ・パケットをも復号しなければならないので、電力を浪費する。
【００１０】
さらに、マルチユーザＡＲＱ方式は、第１移動局が第２データ・パケットならびに第１データ・パケットと第２データ・パケットとの組み合わされた再送信を正しく受信し、第２移動局が第１データ・パケットならびに第１データ・パケットと第２データ・パケットとの組み合わされた再送信を正しく受信する場合に限って適用することができる。
【００１１】
協調アップリンク中継方式およびマルチユーザＡＲＱ方式は、少なくとも２つの移動局からのまたは少なくとも２つの移動局のためのデータ・パケットを必要とする。基地局のカバレージ・エリアにまたがる移動局の無線条件または分布が、協調アップリンク中継方式またはマルチユーザＡＲＱ方式を常に適用することを可能にしない場合がある。これによって、ユーザ・データの単一再送信に関するシグナリング・データの量またはユーザ・データの量が、追加の無線リソースを消費する場合がある。
【００１２】
ユーザ・データの再送信を実行する形は、シグナリング情報に必要な無線リソースの量に影響をもたらし、再送信に必要な無線リソースの量に影響をもたらし、送信器でのデータ処理に影響をもたらし、受信器でのデータ処理に影響をもたらす。
【先行技術文献】
【非特許文献】
【００１３】
【非特許文献１】３ＧＰＰ  ＴＳ３６．２１３  Ｃｈａｐｔｅｒ  １０．１
【非特許文献２】３ＧＰＰ  ＴＳ  ３６．２１３  Ｃｈａｐｔｅｒ  ７．１．７．１
【発明の概要】
【発明が解決しようとする課題】
【００１４】
本発明の目的は、無線リソースのより有効な使用を伴う、送信器から受信器へのデータの送信の改善された方法を提供することである。
【課題を解決するための手段】
【００１５】
この目的は、無線通信システムの無線アクセス・ネットワークの第１ネットワーク・ノードから無線アクセス・ネットワークの第２ネットワーク・ノードにデータを送信する方法であって、方法は、第２ネットワーク・ノードが、第１データをエラーなしで回復できない場合に、第２ネットワーク・ノードから第１否定応答を送信するステップであって、第１データは、無線アクセス・ネットワークの単一のデータ・ソースからのデータまたは無線アクセス・ネットワークの単一のデータ・シンクのためのデータである、ステップと、第１データおよび少なくとも第２データの重ね合せを適用することによって、第１データおよび少なくとも第２データの組合せを判定するステップであって、少なくとも第２データは、単一のデータ・ソースからのさらなるデータまたは単一のデータ・シンクのためのさらなるデータである、ステップと、組合せを第２ネットワーク・ノードに送信するステップとを含む方法によって達成される。
【００１６】
この目的は、無線通信システム内で使用される第１ネットワーク・ノードおよび無線通信システム内で使用される第２ネットワーク・ノードによってさらに達成される。第１ネットワーク・ノードを、基地局、中継局、または移動局とすることができる。同様に、第２ネットワーク・ノードを、移動局、中継局、または基地局とすることができる。
【００１７】
本発明による方法は、第１データおよび少なくとも第２データの組合せを判定するために、無線アクセス・ネットワークのさらなるデータ・ソースからデータを受信することまたは無線アクセス・ネットワークのさらなるデータ・シンクへデータを送信することを必要としないという第１の利益を提供する。これは、基地局のセルまたはセクタのカバレージ・エリア内の複数の移動局のうちの１つの移動局だけが送信または受信に関するデータを有する場合であっても、この方法を適用できることを意味する。これは、マルチユーザＡＲＱ方式と比較して、無線リソースをより効果的に使用することと、移動局でのエネルギ消費を減らすこととを可能にする。
【００１８】
この方法は、たとえば受信された組合せの単一のＮＡＣＫまたは単一のＡＣＫを提供することによって、組合せの受信器から送信器に応答される異なるＨＡＲＱプロセスのシグナリング情報を減らすというさらなる利益を提供する。
【００１９】
この方法は、以前の送信の第１データと第１データおよび少なくとも第２データの組合せとのソフト・コンバイニングを実行することによって、第１データおよび少なくとも第２データを回復できるために以前の送信で第１データを正しく受信する必要がないというさらなる利益を提供する。
【００２０】
本発明の実施形態によれば、組合せは、第１ユーザ・データの再送信および少なくとも第２ユーザ・データの第１送信であり、この方法は、組合せの推定値から少なくとも１つの以前の送信の第１データの推定値を減算することによって、第２ネットワーク・ノードで少なくとも第２データを回復するステップと、組合せの推定値から回復された少なくとも第２データを減算することによって、第２ネットワーク・ノードで第１データを回復するステップとをさらに含む。これは、少なくとも第２データとして新しいユーザ・データの第１送信と第１データの再送信とを組み合わせることの利益を提供し、第１データおよび少なくとも第２データの組み合わされた送信の受信の後の第１データおよび少なくとも第２データの回復を可能にする。
【００２１】
本発明の代替実施形態では、この方法は、第２ネットワーク・ノードが少なくとも第２データをエラーなしで回復できない場合に、第２ネットワーク・ノードから少なくとも第２否定応答を送信するステップと、少なくとも１つの以前の送信の第１データの推定値を組合せの推定値から減算することによって第２ネットワーク・ノードで少なくとも第２データを回復するステップと、少なくとも１つの以前の送信の少なくとも第２データの推定値を組合せの推定値から減算することまたは回復された少なくとも第２データを組合せの推定値から減算することによって第２ネットワーク・ノードで第１データを回復するステップとをさらに含む。これは、単一のデータ・ソースまたは単一のデータ・シンクの第１データの再送信を単一のデータ・ソースまたは単一のデータ・シンクの少なくとも第２データの再送信と組み合わせるという利益を提供し、第１データおよび少なくとも第２データの組み合わされた送信の受信の後の第１データおよび少なくとも第２データの回復を可能にする。
【００２２】
本発明のさらなる実施形態では、第１否定応答および少なくとも１つの第２否定応答が事前定義の時間間隔以内に第２ネットワーク・ノードで送信される場合に、組合せに関する判定するステップが適用され、組み合わされた送信の表示は、事前定義の時間間隔以内に第１否定応答および少なくとも１つの第２否定応答を送信することによって第２ネットワーク・ノードに暗黙のうちに提供される。
【００２３】
本発明のさらなる実施形態は、再送信が、第１データまたは少なくとも第２データの単一再送信であるのではなく、第１データおよび少なくとも第２データの組み合わされた再送信であることの表示を第２ネットワーク・ノードにシグナリングすることを回避することを可能にする。
【００２４】
本発明のさらなる実施形態は、組み合わされた再送信が第１データおよび少なくとも第２データを含むことの表示を第２ネットワーク・ノードにシグナリングすることをさらに回避することができる。事前定義の時間間隔の値を、データ・ソースからデータ・シンクへの最大送信遅延または最大遅延ジッタなどのサービス品質パラメータに適合させることができる。
【００２５】
本発明のさらなる実施形態では、方法は、第１ユーザ・データおよび少なくとも第２ユーザ・データの再送信である組合せと第１ユーザ・データの再送信および少なくとも第２データの第１送信である組合せとの間で切り替えるステップをさらに含む。これは、第１ネットワーク・ノードのバッファの充てんレベルに依存し、以前に受信された否定応答の個数に依存し、および／または現在の無線リンク品質に依存して、組合せが第１ユーザ・データおよび少なくとも第２ユーザ・データの再送信であることおよび組合せが第１ユーザ・データの再送信および少なくとも第２データの第１送信であることのいずれかの選択における柔軟性を可能にする。
【００２６】
本発明のさらなる実施形態では、重ね合せは、変調の前の第１データおよび少なくとも第２データの２を法とする加算であり、あるいは、重ね合せは、変調の後の、第１データおよび少なくとも第２データの実数振幅値の加算と第１データおよび少なくとも第２データの虚数振幅値の加算とであり、第１データおよび少なくとも第２データは、同一の変調方式または異なる変調方式を用いて変調される。これは、さらに、第２ネットワーク・ノードの能力に、または信号対雑音比のレベルなどの第１ネットワーク・ノードと第２ネットワーク・ノードとの間の無線リンクの品質パラメータに組合せの判定を柔軟に適合させることを可能にし、さらに、第１データおよび少なくとも第２データの変調方式を独立に適合させることを可能にする。これは、さらに、たとえば第１データおよび少なくとも第２データに同一の変調方式および／または同一の符号化方式および／または同一の冗長性バージョンを使用することによる、送信器から受信器へ送信されなければならない異なるＨＡＲＱプロセスに関するシグナリング情報を減らすことを可能にする。
【００２７】
本発明のさらなる実施形態によれば、この方法は、第１データおよび少なくとも第２データの重ね合せである組合せと第１データを少なくとも第２ユーザ・データに多重化することによって判定される組合せとの間で切り替えるステップをさらに含み、かつ／または方法は、第１データおよび少なくとも第２データの組合せの送信と第１データの単一再送信との間で切り替えるステップをさらに含む。
【００２８】
また、これらのさらなる実施形態は、第１ネットワーク・ノードのバッファの充てんレベルに依存して、以前に受信された否定応答の個数に依存して、および／または現在の無線リンク品質に依存して、ネットワーク符号化もしくは多重化に基づく組合せまたは第１データの単一再送信のいずれかを選択する際の柔軟性を可能にする。
【００２９】
本発明の好ましい実施形態では、この方法は、変調方式、符号化方式、または冗長性バージョンの表示などの第１データおよび／または少なくとも第２データの少なくとも１つの物理層処理パラメータを第１データおよび少なくとも第２データの組合せに多重化するステップをさらに含む。これは、シグナリング情報を第１データおよび少なくとも第２データの組合せに追加することによって、ＨＳＤＰＡ（ＨＳＤＰＡ＝Ｈｉｇｈ  Ｓｐｅｅｄ  Ｄｏｗｎｌｉｎｋ  Ｐａｃｋｅｔ  Ａｃｃｅｓｓ）またはＬＴＥで使用されるダウンリンク制御チャネルなどのシグナリング・チャネル上のシグナリング情報を減らすという利益を提供する。無線通信標準規格によって与えられる限られた無線リソースをしばしば割り当てられているシグナリング・チャネルに、第１データおよび／または少なくとも第２データの処理パラメータを装荷するのではなく、第１データおよび／または少なくとも第２データの物理層処理パラメータによるシグナリング情報は、データ・チャネルに装荷され、このデータ・チャネルは、第１データおよび少なくとも第２データの組合せの送信に使用される。
【００３０】
本発明のさらなる好ましい実施形態によれば、この方法は、第１データおよび／または少なくとも第２データのサービス品質クラスに依存して第１データおよび少なくとも第２データの組合せの送信を適用しまたは適合させるステップをさらに含む。これは、データ・ソースからデータ・シンクへの送信に関する最大遅延値または最大遅延ジッタなどのサービス品質要件の満足を可能にする。第１データおよび少なくとも第２データの組合せの送信は、好ましくは、ウェブ・ブラウジングまたはファイル転送などの遅延に敏感でないサービスに使用され、ゲーミングまたはｖｏｉｃｅ  ｏｖｅｒ  ＩＰなどのサービスには使用されない。たとえば、ユーザが、モバイル・デバイス（第２ネットワーク・ノードである）上でゲーミングを停止し、ウェブ・ブラウジングを開始する場合に、第１ネットワーク・ノードから第２ネットワーク・ノードへのユーザ・データの送信を、第１データの従来の単一再送信から第１データおよび少なくとも第２データの組合せの送信に切り替えることができる。これは、さらに、たとえば第１データの変調方式、および／または少なくとも第２データの変調方式、および／または第１データの符号化方式、および／または少なくとも第２データの符号化方式を変更することによって、現在のサービス品質のパラメータに依存して第１データおよび少なくとも第２データの組合せの送信を適合させることを可能にする。
【００３１】
たとえば、ユーザが、モバイル・デバイス上でウェブ・ブラウジングを停止し、ビデオ・ダウンロードなどのファイル転送を開始する場合には、第１ネットワーク・ノードから第２ネットワーク・ノードへの第１データおよび少なくとも第２データの組合せの送信の符号化方式または変調方式などのリンク適合を、たとえば特定の時間内の欠けているか欠陥のあるビデオ・フレームの許容される個数に従ってまたは残余ブロック誤り率に従って適合させることができる。
【００３２】
本発明のさらなる好ましい実施形態では、この方法は、第１ネットワーク・ノードによって第２ネットワーク・ノードに組合せの送信の表示を提供するステップをさらに含み、第１データおよび少なくとも第２データの組合せの送信は、無線通信システムの第３ネットワーク・ノードによって提供される。このさらなる好ましい実施形態は、特に、中継局が基地局と移動局との間で使用される時に適用することができる。中継局は、第１データおよび少なくとも第２データを格納することができる。第１データの再送信または第１データおよび少なくとも第２データの再送信が必要である場合には、中継局は、第１データおよび少なくとも第２データの組合せを第２ネットワーク・ノードに提供し、基地局などの第１ネットワーク・ノードは、第１データおよび少なくとも第２データの組合せの表示だけを第２ネットワーク・ノードに提供する。これによって、基地局での処理能力を減らすことができる。
【００３３】
本発明のさらなる実施形態では、単一のデータ・ソースは、無線アクセス・ネットワークの第１ネットワーク・ノードまたは第３ネットワーク・ノードであり、あるいは、単一のデータ・シンクは、第２ネットワーク・ノードまたは第３ネットワーク・ノードである。これは、基地局と移動局との間のダウンリンク送信、移動局と基地局との間のアップリンク送信、基地局と中継局との間のダウンリンク送信、中継局と移動局との間のダウンリンク送信、移動局と中継局との間のアップリンク送信、および中継局と基地局との間のアップリンク送信などの異なる送信シナリオに従って本発明を適用することを可能にする。
【００３４】
本発明のさらなる有利な特徴は、本発明の次の詳細な説明で定義され、説明される。
【００３５】
本発明の実施形態は、次の詳細な説明で明白になり、非限定的な例示として与えられる添付図面によって示される。
【図面の簡単な説明】
【００３６】
【図１】無線通信ネットワークを示すブロック図である。
【図２】本発明の実施形態による方法を示す流れ図である。
【図３】ダウンリンク・チャネル上のデータおよびアップリンク・チャネル上の肯定応答または否定応答を含む連続プロセス・トランスポート・ブロックを示すブロック図である。
【図４】本発明の２つの実施形態によるデータの重ね合せを適用することによるデータの組合せの判定を示す２つのブロック図である。
【図５】本発明の２つのさらなる実施形態による、データの重ね合せを適用することによるデータの組合せの判定を示すブロック図およびデータの多重化によるデータの組合せの判定を示すブロック図である。
【図６】本発明のさらなる実施形態によるさらなる方法を示す流れ図である。
【図７】本発明の実施形態による制御チャネル上の制御シグナリング・ビットを示すブロック図およびインバンド・シグナリング・ビットを示すさらなるブロック図である。
【図８】本発明の実施形態による基地局および中継局を示す２つのブロック図である。
【図９】本発明の実施形態による移動局を示すブロック図である。
【発明を実施するための形態】
【００３７】
図１に、無線アクセス・ネットワークＲＡＮを含む無線通信システムＲＣＳを示す。無線通信システムＲＣＳのコア・ネットワークと、さらなる無線通信システム、インターネット、または固定回線通信システムへの無線通信システムＲＣＳの接続とは、単純さのために図示されていない。
【００３８】
無線通信システムＲＣＳは、たとえば、ＯＦＤＭ（ＯＦＤＭ＝Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重））を使用する３ＧＰＰ  ＬＴＥ無線通信ネットワークとすることができる。さらなる代替案では、無線通信システムＲＣＳは、たとえば、３ＧＰＰ  ＵＭＴＳ／ＨＳＰＡ無線通信ネットワーク（ＵＭＴＳ＝Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ、ＨＳＰＡ＝Ｈｉｇｈ  Ｓｐｅｅｄ  Ｐａｃｋｅｔ  Ａｃｃｅｓｓ）、たとえばＩＥＥＥ  ８０２．１６ｄ標準規格（ＩＥＥＥ＝Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（電気電子技術者協会））に基づくＷｉＭＡＸ無線通信ネットワーク（ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、またはたとえばＩＥＥＥ  ８０２．１１ｇ標準規格に基づくＷＬＡＮ（ＷＬＡＮ）とすることができる。
【００３９】
無線アクセス・ネットワークＲＡＮは、基地局ＢＳを含む。用語「基地局」は、無線基地局、基地局、Ｎｏｄｅ  Ｂ、ｅｎｈａｎｃｅｄ  Ｎｏｄｅ  Ｂ、アクセス・ポイントなどと同義と考えることができ、かつ／またはそのように称する場合があり、無線通信システムＲＣＳと１つまたは複数の移動局との間の無線リンクを介して接続性を提供する機器を説明することができる。
【００４０】
さらなる基地局、基地局の間の接続、基地局とコア・ネットワークのネットワーク・ノードとの間の接続、無線アクセス・ネットワークＲＡＮのさらなる無線セルは、単純さのために図示されていない。
【００４１】
基地局ＢＳは、無線セルＲＣの責任を負う。用語「無線セル」は、無線セル、セル、無線セクタ、セクタなどと同義と考えることができ、かつ／またはそのように称する場合がある。
【００４２】
代替案では、無線アクセス・ネットワークＲＡＮは、さらに、１つまたは複数の基地局と１つまたは複数の移動局との間で無線信号を中継する１つまたは複数の中継局を含むことができる。
【００４３】
移動局ＭＳは、無線セルＲＣの無線カバレージ・エリア内に配置される。
【００４４】
用語「移動局」は、モバイル・ユニット、移動局、モバイル・ユーザ、アクセス端末、ユーザ機器、加入者、ユーザ、リモート・ステーションなどと同義と考えることができ、以下では時々そのように称する場合がある。移動局ＭＳは、たとえば、セル電話機、ポータブル・コンピュータ、ポケット・コンピュータ、ハンドヘルド・コンピュータ、携帯情報端末、または車載モバイル・デバイスとすることができる。
【００４５】
基地局ＢＳは、無線リンクＲＬを介して移動局ＭＳと通信する。代替案では、基地局ＢＳは、第１無線リンクＲＬ１を介して中継局ＲＳと通信し、中継局ＲＳは、第２無線リンクＲＬ２を介して移動局ＭＳと通信する。さらなる代替案では、基地局ＢＳは、第１無線リンクＲＬ１を介して中継局ＲＳと通信し、中継局ＲＳは、第２無線リンクＲＬ２を介して移動局ＭＳと通信し、さらに、基地局ＢＳは、無線リンクＲＬを介して移動局ＭＳと通信する。さらなる代替案では、基地局ＢＳと移動局ＭＳとの間の通信が、複数の中継局によって中継される。
【００４６】
基地局ＢＳおよび移動局ＭＳは、基地局ＢＳから移動局ＭＳへのダウンリンク上でＡＲＱ方式もしくはＨＡＲＱ方式を使用することができ、かつ／または移動局ＭＳから基地局ＢＳへのアップリンク上でさらなるＡＲＱ方式もしくはさらなるＨＡＲＱ方式を使用することができる。ＨＡＲＱ方式および／またはさらなるＨＡＲＱ方式を、ソフト・コンバイニングを用いて組み合わせることができる。ＨＡＲＱ方式および／またはさらなるＨＡＲＱ方式を、同期式または非同期式とすることができる。同様に、ＡＲＱ方式および／またはさらなるＡＲＱ方式を、同期式または非同期式とすることができる。
【００４７】
基地局ＢＳは、基地局ＢＳから移動局ＭＳまたは中継局に送信され、エラーなしで回復できなかった第１ダウンリンク・データに関する否定応答を移動局ＭＳまたは中継局からアップリンク上で受信する時に、第１ダウンリンク・データの単一再送信を実行することができ、あるいは、基地局ＢＳは、第１ダウンリンク・データと１つまたは複数の第２ダウンリンク・データとの重ね合せを適用することによって、第１ダウンリンク・データと１つまたは複数の第２ダウンリンク・データとのダウンリンク組合せを判定することができ、基地局ＢＳは、無線リンクＲＬを介して第１ダウンリンク・データと１つまたは複数の第２ダウンリンク・データとのダウンリンク組合せを移動局ＭＳまたは中継局に送信することができる。
【００４８】
移動局ＭＳは、第１ダウンリンク・データおよび１つまたは複数の第２ダウンリンク・データに関する単一のデータ・シンクである。第１ダウンリンク・データを、ユーザ・データまたはシグナリング・データとすることができる。同様に、１つまたは複数の第２ダウンリンク・データを、ユーザ・データまたはシグナリング・データとすることができる。これは、組合せのデータが、ユーザ・データのみ、シグナリング・データのみ、またはユーザ・データとシグナリング・データとの混合であることを意味する。
【００４９】
代替案では、中継局を、第１ダウンリンク・データおよび１つまたは複数の第２ダウンリンク・データに関する単一のデータ・シンクとすることができ、第１ダウンリンク・データおよび１つまたは複数の第２ダウンリンク・データの組合せを、第１ダウンリンク・データの再送信および１つまたは複数の第２ダウンリンク・データの再送信として使用することができ、あるいは、第１ダウンリンク・データの再送信および基地局ＢＳから中継局へのシグナリング情報に関する１つまたは複数の第２ダウンリンク・データの初期送信として使用することができる。
【００５０】
ネットワーク・ノードに関する単一のデータ・ソースは、そのネットワーク・ノードがｖｏｉｃｅ  ｏｖｅｒ  ＩＰ呼などのユーザ・サービスのエンドポイントなので、またはそのネットワーク・ノードがステータス情報などの制御情報を別のネットワーク・ノードにシグナリングすることを必要とするので、このネットワーク・ノードでデータが生成されることを意味する。ネットワーク・ノードに関する単一のデータ・シンクは、そのネットワーク・ノードがｖｏｉｃｅ  ｏｖｅｒ  ＩＰ呼などのユーザ・サービスのエンドポイントなので、またはそのネットワーク・ノードがステータス情報などの制御情報を別のネットワーク・ノードから受信することを必要とするので、このネットワーク・ノードでデータが受信されることを意味する。
【００５１】
表１は、第１データおよび第２データがユーザ・データである場合に、情報フローの方向に依存して、本発明に従って、無線アクセス・ネットワークＲＡＮのどのネットワーク・ノードを、たとえば第１データおよび第２データに関して単一のデータ・シンクまたは単一のデータ・ソースにすることができるのかを示す。
【００５２】
【表１】
0005643429.tif 000002
【００５３】
表２に、第１データおよび第２データが制御データまたはシグナリング・データである場合に、情報フローの方向に依存して、本発明に従って、無線アクセス・ネットワークＲＡＮのどのネットワーク・ノードを、たとえば第１データおよび第２データに関して単一のデータ・シンクまたは単一のデータ・ソースにすることができるのかを示す。
【００５４】
【表２】
0005643429.tif 000003
【００５５】
ダウンリンク・リソース・ブロック割当、第１ダウンリンク・データおよび１つもしくは複数の第２ダウンリンク・データのダウンリンク変調方式、第１ダウンリンク・データおよび１つもしくは複数の第２ダウンリンク・データのダウンリンク符号化方式、または第１ダウンリンク・データおよび１つもしくは複数の第２ダウンリンク・データのダウンリンク冗長性バージョンに関する情報などのダウンリンク組合せに関する制御パラメータを、ダウンリンク制御チャネル上で完全にシグナリングすることができ、ダウンリンク制御チャネル上で部分的にシグナリングし、ダウンリンク組合せに部分的に多重化することができ、あるいは、ダウンリンク組合せに完全に多重化することができる。さらなる代替案では、ダウンリンク組合せの制御パラメータの一部を、部分的に事前に定義し、または暗黙のうちに定義することができる。
【００５６】
同様に、移動局ＭＳは、移動局ＭＳから基地局ＢＳまたは中継局に送信された、エラーなしで回復できない第１アップリンク・データに関する否定応答をダウンリンク上で基地局ＢＳまたは中継局から受信する時に、第１アップリンク・データの単一再送信を実行することができ、あるいは、移動局ＭＳは、第１アップリンク・データと１つまたは複数の第２アップリンク・データとの重ね合せを適用することによって、第１アップリンク・データと１つまたは複数の第２アップリンク・データとのアップリンク組合せを判定することができ、移動局ＭＳは、無線リンクＲＬを介して基地局ＢＳまたは中継局にアップリンク組合せを送信することができる。
【００５７】
第１アップリンク・データおよび１つまたは複数の第２アップリンク・データを、第１アップリンク・データおよび１つまたは複数の第２アップリンク・データに関する単一のデータ・ソースである移動局ＭＳからのユーザ・データまたはシグナリング・データとすることができる。
【００５８】
代替案では、中継局を、第１アップリンク・データおよび１つまたは複数の第２アップリンク・データの単一のデータ・ソースとすることができ、第１アップリンク・データおよび１つまたは複数の第２アップリンク・データの組合せを、第１アップリンク・データの再送信および１つまたは複数のアップリンク・データの再送信として使用することができ、あるいは、第１アップリンク・データの再送信および中継局から基地局ＢＳへのシグナリング情報に関する１つまたは複数のアップリンク・データの初期送信として使用することができる。
【００５９】
基地局ＢＳは、第１アップリンク・データと１つまたは複数の第２アップリンク・データとのアップリンク組合せを用いるアップリンク再送信を実行すべきかどうかの表示を移動局ＭＳに送信することができる。
【００６０】
アップリンク・リソース・ブロック割当、第１アップリンク・データと１つもしくは複数の第２アップリンク・データとのアップリンク変調方式、第１アップリンク・データと１つもしくは複数の第２アップリンク・データとのアップリンク符号化方式、または第１アップリンク・データと１つもしくは複数の第２アップリンク・データとのアップリンク冗長性バージョンに関する情報などのアップリンク組合せに関する制御パラメータを、アップリンク制御チャネル上で完全にシグナリングすることができ、アップリンク制御チャネル上で部分的にシグナリングし、アップリンク組合せに部分的に多重化することができ、あるいは、アップリンク組合せに完全に多重化することができる。これを、たとえば、移動局が第１アップリンク・データと１つもしくは複数の第２アップリンク・データとのアップリンク変調方式、第１アップリンク・データと１つもしくは複数の第２アップリンク・データとのアップリンク符号化方式、および／または第１アップリンク・データと１つもしくは複数の第２アップリンク・データとのアップリンク冗長性バージョンに関して判断することを許可される場合に、３ＧＰＰ  ＵＭＴＳ通信システム内で使用することができる。
【００６１】
代替案では、アップリンク組合せの制御パラメータのうちの１つまたは複数を、ダウンリンク制御チャネル上で完全にシグナリングすることができ、ダウンリンク制御チャネル上で部分的にシグナリングし、ダウンリンク組合せまたはダウンリンク単一データに部分的に多重化することができ、あるいは、ダウンリンク組合せに完全に多重化することができる。たとえばＬＴＥでは、ｅｎｈａｎｃｅｄ  Ｎｏｄｅ  Ｂ内のアップリンク・スケジューラが、第１アップリンク・データと１つもしくは複数の第２アップリンク・データとのアップリンク変調方式、第１アップリンク・データと１つもしくは複数の第２アップリンク・データとのアップリンク符号化方式、および／または第１アップリンク・データと１つもしくは複数の第２アップリンク・データとのアップリンク冗長性バージョンに関して判断する。
【００６２】
さらなる代替案では、アップリンク組合せの制御パラメータの一部を、部分的に事前に定義し、または暗黙のうちに定義することができる。
【００６３】
図２を参照すると、本発明の第１実施形態による方法ＭＥＴ１の流れ図が示されている。方法ＭＥＴ１を実行するステップの個数は、クリティカルではなく、当業者が理解できるように、ステップの個数およびステップの順序を、本発明の範囲から逸脱せずに変更することができる。
【００６４】
方法ＭＥＴ１は、基地局ＢＳから移動局ＭＳへのダウンリンク・ユーザ・データのダウンリンク送信に関して示されている。中継局が基地局ＢＳと移動局ＭＳとの間で使用される場合には、類似するダウンリンク方法を、基地局ＢＳと中継局との間および／または中継局と移動局ＭＳとの間で実行することができる。
【００６５】
当業者が理解できるように、類似する方法を、移動局ＭＳから基地局ＢＳへのアップリンク・ユーザ・データのアップリンク送信について実行することができる。中継局が移動局ＭＳと基地局ＢＳとの間で使用される場合には、類似するアップリンク方法を、移動局ＭＳと中継局との間および／または中継局と基地局ＢＳとの間で実行することができる。
【００６６】
最初のステップＭ１／１では、基地局ＢＳが、移動局ＭＳへ、たとえばＬＴＥで使用されるＰＤＳＣＨ（ＰＤＳＣＨ＝ｐｈｙｓｉｃａｌ  ｄｏｗｎｌｉｎｋ  ｓｈａｒｅｄ  ｃｈａｎｎｅｌ）を介して、初期送信の第１ＨＡＲＱプロセスで移動局ＭＳの変調され符号化された第１データＤ１を送信する。第１データＤ１は、好ましくは、たとえば移動局ＭＳ上で動作するモバイル・サービスに関する第１情報ビットと、第１情報ビットから演繹される第１パリティ情報の第１パリティ・ビットとを含む。
【００６７】
第１データＤ１は、単一のデータ・シンクとしての移動局ＭＳへのデータ・ストリームのデータとすることができる。アップリンク送信の場合には、第１データＤ１を、単一のデータ・ソースとしての移動局ＭＳからのデータ・ストリームのデータとすることができる。
【００６８】
第１データＤ１は、たとえば、１２個の連続するＯＦＤＭ副搬送波およびＬＴＥの場合に１ｍｓである１サブフレームの時間持続時間を有する１８０ｋＨｚの周波数範囲を用いてＬＴＥで使用されるものなどの１つまたは複数の物理リソース・ブロック内で送信される。
【００６９】
次のステップＭ１／２では、移動局ＭＳが、変調され符号化された第１データＤ１を受信する。
【００７０】
さらなるステップＭ１／３では、移動局ＭＳが、第１データＤ１を復調し、復号し、第１データＤ１のすべての第１伝送エラーを判定するために第１パリティ情報を使用して第１ＣＲＣを実行することができ、好ましくは、移動局ＭＳは、変調され符号化された第１データＤ１を格納することができ、あるいはその代わりに、復調された第１データＤ１を格納することができる。
【００７１】
次のステップＭ１／４では、基地局ＢＳが、移動局ＭＳに、たとえばＰＤＳＣＨを介して、初期送信の第２ＨＡＲＱプロセスで移動局ＭＳの変調され符号化された第２データＤ２を送信することができる。第２データＤ２は、好ましくは、たとえばモバイル・サービスまたは移動局ＭＳ上で動作する異なるモバイル・サービスに関する第２情報ビットと、第２情報ビットから演繹される第２パリティ情報の第２パリティ・ビットとを含む。
【００７２】
第２データＤ２を、単一のデータ・シンクとしての移動局ＭＳへのデータ・ストリームまたはさらなるデータ・ストリームのデータとすることができる。アップリンク送信の場合には、第２データＤ２を、単一のデータ・ソースとしての移動局ＭＳからのデータ・ストリームまたはさらなるデータ・ストリームのデータとすることができる。
【００７３】
第２データＤ２は、１つまたは複数の物理リソース・ブロック内で送信される。
【００７４】
さらなるステップＭ１／５では、移動局ＭＳが、変調され符号化された第２データＤ２を受信する。
【００７５】
次のステップＭ１／６では、移動局ＭＳが、第１データＤ１をエラーなしで回復できない場合に、移動局ＭＳが、基地局ＢＳに第１否定応答Ｎ１を送信する。
【００７６】
さらなるステップＭ１／７では、基地局ＢＳが、第１否定応答Ｎ１を受信する。
【００７７】
次のステップＭ１／８では、移動局ＭＳが、第２データＤ２を復調し、復号し、第２データＤ２のすべての伝送エラーを判定するために第２パリティ情報を使用して第２ＣＲＣを実行し、好ましくは、移動局ＭＳは、第１データＤ１に関するステップＭ１／３に類似する形で、変調され符号化された第２データＤ２または復調された第２データＤ２を格納する。
【００７８】
さらなるステップＭ１／９では、移動局ＭＳが、第２データＤ２をエラーなしで回復できない場合に、移動局ＭＳは、基地局ＢＳに第２否定応答Ｎ２を送信する。
【００７９】
次のステップＭ１／１０では、基地局ＢＳが、第２否定応答Ｎ２を受信する。
【００８０】
第１否定応答Ｎ１および第２否定応答Ｎ２は、さらに、信号対雑音干渉比または移動局ＭＳの復号器のソフト信頼性（ｓｏｆｔ  ｒｅｌｉａｂｉｌｉｔｙ）情報などの移動局ＭＳでの受信の品質のインジケータを含むことができる。受信の品質のインジケータは、第１データＤ１および第２データＤ２をエラーなしで回復するために移動局ＭＳでどれほどの冗長性がまだ必要であるのかを示すことができる。基地局ＢＳは、受信の品質のインジケータを使用して、移動局ＭＳが、ソフト・コンバイニングによって第１ユーザ・データＵＤ１および第２ユーザ・データＵＤ２を回復するために必要なさらなる第１パリティ情報およびさらなる第２パリティ情報の量を判定することができる。判定された量の結果を、基地局ＢＳによって使用して、結果に適合されたパリティ情報と共に第１データＤ１および第２データＤ２の単一再送信を実行することがよりよいのかどうか、または基地局ＢＳが、第１データＤ１および第２データＤ２の組み合わされた再送信を実行してよいのかどうかを判断することができる。
【００８１】
次のステップＭ１／１１からＭ１／１７は、図４ａ）の流れ図に従って実行される。代替案では、基地局ＢＳによって実行される次のステップを、図４ｂ）または図５ａ）の流れ図に従って実行することができる。
【００８２】
さらなるステップＭ１／１１では、基地局ＢＳが、第１データＤ１および第２データＤ２の重ね合せを適用することによって、第１データＤ１および第２データＤ２の組合せを判定する。図４ａ）による重ね合せは、第１データＤ１および第２データＤ２のビット単位の２を法とする加算である。たとえば、第１データＤ１が、第２データＤ２より少数のビットを含む場合には、基地局ＢＳは、第１データＤ１のビットの反復によって第１データＤ１にビットを追加することができる。これによって、第１データＤ１のビット数と第２データＤ２のビット数とが等しくされる。
【００８３】
基地局ＢＳは、例として、単に第１データＤ１および第２データＤ２が遅延に敏感なサービス品質クラスに属さない場合に、組合せの判定を適用することができる。組合せは、たとえば、好ましくは、第１データＤ１と第２データＤ２との両方が単一のバックグラウンド・サービスまたは異なるバックグラウンド・サービスに属する場合に判定することができる。
【００８４】
次のステップＭ１／１２では、基地局ＢＳが、オプションで、組合せにＣＲＣビットを追加することができ、その組合せを、誤り訂正符号化方式を用いて符号化する。
【００８５】
誤り訂正符号化方式を、無線条件および／またはバックグラウンド・サービス・クラスもしくは対話サービス・クラスなどの第１データＤ１および第２データＤ２のサービス品質クラスに適合させることができる。バックグラウンド・サービス・クラスおよび対話サービス・クラスは、ウェブ・ブラウジング、ファイル転送、ビデオ・ダウンロード、およびリアルタイムなどのサービスを含むことができ、あるいは、他の遅延に敏感なサービス・クラスは、ゲーミング、ビデオ会議、またはｖｏｉｃｅ  ｏｖｅｒ  ＩＰなどのサービスを含むことができる。
【００８６】
さらなるステップＭ１／１３では、基地局ＢＳが、ＲＶパラメータを選択し（ＲＶ＝ｒｅｄｕｎｄａｎｃｙ  ｖｅｒｓｉｏｎ（冗長性バージョン））、選択されたＲＶパラメータを用いてレート・マッチングを実行する。
【００８７】
第１データＤ１および第２データＤ２の制御情報が、第１データＤ１および第２データＤ２を識別し、復号し、復調し、スクランブル解除し、かつ／またはインターリーブ解除できるために、移動局ＭＳで必要である。第１データＤ１の表示および第２データＤ２の表示を、移動局ＭＳに明示的にシグナリングすることができ、あるいは、方法ＭＥＴ１がたとえば同期ＨＡＲＱプロセスに基づく可能性がある場合に、移動局ＭＳに暗黙のうちに提供することができる。連続するＨＡＲＱプロセスの間で変更される可能性があるか、同一のＨＡＲＱプロセスの連続する送信の間で変更される可能性がある、基地局ＢＳで適用される変調方式および／または基地局ＢＳで適用される符号化方式などの１つまたは複数の物理層処理パラメータの第１データＤ１および第２データＤ２のさらなる制御情報を、ＬＴＥダウンリンク制御チャネルなどの制御チャネル上の表示によってシグナリングすることができる。
【００８８】
代替案では、第１データＤ１および第２データＤ２の制御情報を、制御チャネル上で部分的にシグナリングし（たとえば、第１データＤ１の制御情報だけ）、第１データＤ１および第２データＤ２の組合せに部分的に多重化する（たとえば、第２データＤ２の制御情報だけを多重化する）ことができ、あるいは、第１データＤ１および第２データＤ２の制御情報を、第１データＤ１および第２データＤ２の組合せに完全に多重化することができる。
【００８９】
好ましくは、基地局ＢＳで第１データＤ１に関して適用されるスクランブル方式の表示および／または基地局ＢＳで第１データＤ１に関して適用されるインターリーブ方式の表示など、連続するＨＡＲＱプロセスの間でしばしば変更されてはならないまたは同一のＨＡＲＱプロセスの連続する送信の間でしばしば変更されてはならない特定の物理層処理パラメータの第１データＤ１および第２データＤ２の制御情報を、基地局ＢＳおよび移動局ＭＳで事前に定義することができ、あるいは、たとえば第１データＤ１に関して適用されつつあるものと同一のスクランブル方式および／または同一のインターリーブ方式を第２データＤ２に関して適用することによって暗黙のうちに定義することができる。代替案では、スクランブル方式および／またはインターリーブ方式の表示を、制御チャネル上でシグナリングすることができる。
【００９０】
次のステップＭ１／１４では、基地局が、オプションで、第１データＤ１および／または第２データＤ２の制御情報をレート・マッチングされた組合せに多重化する。第１データＤ１および／または第２データＤ２の制御情報を、多重化するステップＭ１／１４が適用される前に別々に符号化することができる。
【００９１】
さらなるステップＭ１／１５では、基地局ＢＳが、スクランブル方式を用いて第１データＤ１および第２データＤ２の多重化された組合せをスクランブルし、インターリーブ方式を用いてスクランブルされた組合せをインターリーブする。
【００９２】
次のステップＭ１／１６では、基地局ＢＳが、変調方式を用いてインターリーブされた組合せを変調する。
【００９３】
変調方式を、無線条件ならびに／または第１データＤ１および第２データＤ２のサービス品質クラスに適合させることができる。
【００９４】
さらなるステップＭ１／１７では、基地局ＢＳが、無線リンクＲＬのダウンリンクの１つまたは複数の物理リソース・ブロックへの変調された組合せの物理リソース・マッピングを実行する。
【００９５】
ステップＭ１／１１からＭ１／１７と並列に、基地局ＢＳは、さらなるＨＡＲＱプロセスを使用することによって、さらなるデータに関するさらなる初期送信を実行することができる。
【００９６】
次のステップＭ１／１８では、基地局ＢＳが、たとえばＰＤＳＣＨを介して好ましくは無線リンクＲＬの１つまたは複数の物理リソース・ブロックを介するユニキャストとして移動局ＭＳに第１データＤ１および第２データＤ２の変調され、スクランブルされ、インターリーブされた組合せＣＯＭＢ１を送信する。
【００９７】
さらなるステップＭ１／１９では、移動局ＭＳが、変調され、スクランブルされ、インターリーブされた組合せＣＯＭＢ１を受信する。
【００９８】
次のステップＭ１／２０では、移動局ＭＳが、使用可能な物理リソース・ブロックのフル・セット内での組合せＣＯＭＢ１の位置を判定する。
【００９９】
基地局ＢＳは、ダウンリンク制御チャネル上の小さいパケットとすることができる（図７ａ）：リソース・ブロック割当ＲＢＡを参照されたい）３ＧＰＰ  ＬＴＥ／ＨＳＤＰＡで使用されるダウンリンク・スケジューリング・グラント（ｄｏｗｎｌｉｎｋ  ｓｃｈｅｄｕｌｉｎｇ  ｇｒａｎｔ）などの制御シグナリング・メッセージの専用情報フィールド内に位置の情報を含めることによって、使用可能な物理リソース・ブロックのフル・セット内の組合せＣＯＭＢ１の位置の情報を移動局ＭＳに送信することができる。
【０１００】
さらなるステップＭ１／２１では、移動局ＭＳが、組合せＣＯＭＢ１を復調する。
【０１０１】
次のステップＭ１／２２では、移動局ＭＳが、スクランブル解除し、インターリーブ解除することによって、多重化された組合せＣＯＭＢ１および多重化された制御情報の位置を判定する。
【０１０２】
基地局ＢＳは、３ＧＰＰ  ＬＴＥ／ＨＳＤＰＡで使用されるダウンリンク・スケジューリング・グラントなどの制御シグナリング・メッセージの専用情報フィールド内に位置の情報を含めることによって、使用可能な物理リソース・ブロックのフル・セット内の多重化された組合せおよび多重化された制御情報の位置の情報を移動局ＭＳに送信することができる。
【０１０３】
さらなる代替案では、制御情報および組合せＣＯＭＢ１をどのように多重化するのかの多重化方式を、基地局ＢＳおよび移動局ＭＳで事前に定義することができる。その場合に、多重化された制御情報および多重化された組合せの位置の情報を、移動局ＭＳに送信する必要はない。
【０１０４】
さらなるステップＭ１／２３では、移動局ＭＳが、第１データＤ１および第２データＤ２のある種の追加パリティ情報として第１データＤ１および第２データＤ２の組合せＣＯＭＢ１を使用することによって、復号、ＣＲＣ検査、およびソフト・コンバイニングを実行する。
【０１０５】
したがって、移動局ＭＳは、組合せＣＯＭＢ１の推定値から以前の送信（ステップＭ１／１、Ｍ１／２）の第１データＤ１の格納された推定値を減算することによって、第２データＤ２を回復する。
Ｄ２＝（Ｄ１＋Ｄ２）−Ｄ１
【０１０６】
第２データＤ２を回復するために、移動局ＭＳは、復号の前に、減算Ｄ２＝（Ｄ１＋Ｄ２）−Ｄ１から入手される推定値との第２データＤ２の格納された推定値のソフト・コンバイニングを実行することもできる。
【０１０７】
移動局ＭＳは、さらに、組合せＣＯＭＢ１の推定値から以前の送信（ステップＭ１／４、Ｍ１／５）の第２データＤ２の格納された推定値を減算することによって、第１データＤ１を回復する。
Ｄ１＝（Ｄ１＋Ｄ２）−Ｄ２
【０１０８】
代替案では、移動局ＭＳは、組合せＣＯＭＢ１の推定値から回復された第２データＤ２を減算することによって、第１データＤ１を回復することができる。
【０１０９】
第１データＤ１を回復するために、移動局ＭＳは、復号の前に、減算Ｄ１＝（Ｄ１＋Ｄ２）−Ｄ２から入手される推定値との第１データＤ１の格納された推定値のソフト・コンバイニングを実行することもできる。
【０１１０】
好ましくは、第１データＤ１、第２データＤ２、および組合せＣＯＭＢ１の推定値に固有の伝送エラーは、上で述べたソフト・コンバイニング・ステップからの性能利益を得るために、無相関でなければならない。この特性を、たとえば次の追加の処理ステップを導入することによって改善することができる。
−  第１データＤ１、第２データＤ２、および組合せＣＯＭＢ１について異なる物理リソース割当を実行し、たとえば、基地局ＢＳは、第１データＤ１および第２データＤ２の初期送信と組合せＣＯＭＢ１の送信とに異なる物理リソース・ブロックを割り当てることができ、
−  時間変動するスクランブルおよびインターリーブＳ／Ｉを実行し、たとえば、たとえば循環シフトまたは擬似乱数置換を使用することによって、各サブフレーム内で異なるインターリーブ・パターンを適用する。
【０１１１】
組合せが、たとえば第１データＤ１、第２データＤ２、および第３データＤ３の２を法とする加算を含み、第３データＤ３が、初期単一送信で事前に基地局ＢＳから移動局ＭＳに送信されている場合には、第１データＤ１、第２データＤ２、および第３データＤ３を、次の計算によって回復することができる。
Ｄ１＝（Ｄ１＋Ｄ２＋Ｄ３）−Ｄ２−Ｄ３
Ｄ２＝（Ｄ１＋Ｄ２＋Ｄ３）−Ｄ１−Ｄ３
Ｄ３＝（Ｄ１＋Ｄ２＋Ｄ３）−Ｄ１−Ｄ２
【０１１２】
第１データＤ１および／または第２データＤ２を、受信された組合せＣＯＭＢ１を使用することによってエラーなしで回復することができない場合には、対応する否定応答が、移動局ＭＳから基地局ＢＳに送信され、第１データＤ１および／または第２データＤ２のさらなる再送信を、データのさらなる組合せを使用することによって、または単一再送信を使用することによって実行することができる。
【０１１３】
次のステップＭ１／２４では、移動局ＭＳは、第１データＤ１および第２データＤ２のうちの１つだけをエラーなしで回復できた場合に、第１データＤ１の受信された組合せＣＯＭＢ１について肯定応答Ａ１または否定応答Ｎ１を、第２データＤ２について肯定応答Ａ２または否定応答Ｎ２を、別々に（たとえば、２ビットを使用して）送信し（送信される肯定応答および／または否定応答の可能な組合せは、Ａ１およびＡ２、Ｎ１およびＮ２、Ａ１およびＮ２、Ｎ１およびＡ２である）、あるいは、移動局ＭＳは、第１データＤ１と第２データＤ２との両方をエラーなしで回復できたまたは両方をエラーなしで回復できなかった場合に、受信された組合せＣＯＭＢ１について、単一の肯定応答または否定応答を送信することができる（たとえば、１ビットを使用して）。
【０１１４】
組合せＣＯＭＢ１の受信の否定応答は、信号対雑音干渉比または移動局ＭＳの復号器のソフト信頼性情報などの移動局ＭＳでの受信の品質を示すインジケータをも含むことができる。このインジケータを、基地局ＢＳで、さらなる初期送信およびさらなる単一再送信または組み合わされた再送信の物理層パラメータを最適化する基地局ＢＳのアルゴリズムを適合させるのに使用することができる。
【０１１５】
ＬＴＥの場合に、単一の肯定応答もしくは否定応答または複数の肯定応答もしくは否定応答の無線リソースを、好ましくは、３ＧＰＰ  ＬＴＥで提案されるものなどのダウンリンク・スケジューリング・グラントに使用される制御チャネル要素（たとえば、３ＧＰＰ  ＴＳ３６．２１３  Ｃｈａｐｔｅｒ  １０．１を参照されたい）に複数の肯定応答または否定応答をタグ付けすることによって、暗黙のうちに割り当てることができる。
【０１１６】
さらなるステップＭ１／２５では、基地局ＢＳが、別々の肯定応答もしくは否定応答Ａ１、Ａ２、Ｎ１、Ｎ２または組み合わされた肯定応答もしくは否定応答を受信する。
【０１１７】
代替実施形態では、中継局を基地局ＢＳと移動局ＭＳとの間で使用することができる。中継局を、たとえば３ＧＰＰ  ＬＴＥについて提案されるものなどのタイプ２リレーとすることができる。
【０１１８】
また、中継局は、変調され符号化された第１データＤ１および第２データＤ２を受信し、第１データＤ１および第２データＤ２を復調し、復号し、第１データＤ１および第２データＤ２のすべての第１伝送エラーを判定するために第１パリティ情報および第２パリティ情報を使用して第１ＣＲＣを実行し、エラーなしの復調され復号された第１データＤ１および第２データＤ２を格納する。中継局が第１データＤ１および第２データＤ２をエラーなしで復調し、復号できる、はるかにより高い可能性がある。というのは、中継局が、移動局ＭＳより基地局ＢＳの近くに配置される可能性があり、または、基地局ＢＳが、指向性アンテナを使用して中継局への排他的な無線リンクを使用する場合があるからである。
【０１１９】
中継局は、たとえば偶然の受信によって、第１否定応答Ｎ１および第２否定応答Ｎ２をも受信する。
【０１２０】
代替案では、基地局ＢＳは、第１否定応答Ｎ１および第２否定応答Ｎ２を受信し、第１否定応答Ｎ１および第２否定応答Ｎ２を中継局に転送する。
【０１２１】
中継局ＲＳは、中継局ＲＳが時間間隔ＴＩ内に第２データＤ２のさらなる連続する否定応答Ｎ２を受信したことを判定することができる（図３ａ）を参照されたい）。その後、中継局ＲＳは、ステップＭ１／１１に似て、組合せＣＯＭＢ１を判定し、基地局ＢＳの代わりに類似するステップＭ１／１２からＭ１／１７を実行することができる。
【０１２２】
代替案では、基地局ＢＳは、たとえば組合せＣＯＭＢ１を判定するために適用すべき１つまたは複数の符号化方式の表示を送信することによって、組合せＣＯＭＢ１をどのように判定すべきかを中継局ＲＳにシグナリングすることができる。
【０１２３】
基地局ＢＳは、組み合わされた送信ＣＯＭＢ１を期待できることと、好ましくは組み合わされた送信ＣＯＭＢ１が送信される時点とを示す、組合せＣＯＭＢ１の送信に関する表示を移動局ＭＳ１に送信することができる。中継局ＲＳは、組合せＣＯＭＢ１を送信すべき時を知るために、組合せＣＯＭＢ１の送信に関する表示を漏話によって受信することができる。
【０１２４】
代替案では、基地局ＢＳは、組合せＣＯＭＢ１を送信すべき時の特定の表示を中継局ＲＳに送信することができる。さらなる代替案では、移動局ＭＳへの表示ＩＮＤおよび中継局ＲＳへの特定の表示は、たとえば同期ＨＡＲＱプロセスが適用されつつある場合に、必要ではないものとすることができ、暗黙のタイミングがあるものとすることができる。
【０１２５】
代替実施形態の場合に、中継局ＲＳは、基地局ＢＳの代わりに、組合せＣＯＭＢ１を移動局ＭＳ１に送信する。
【０１２６】
さらなる代替実施形態の場合に、基地局ＢＳ、中継局ＲＳ、および／または移動局ＭＳが、複数のアンテナを含み（図１を参照されたい）、これが複数の空間層に対応する複数の無線伝搬経路を導入する場合に、複数のプロトコル・データ・ユニットを、おそらくは同一の物理リソース・ブロックを使用して、異なる空間層を介して同時に送信することができる。
【０１２７】
その場合に、ＨＡＲＱプロセスを、ＨＡＲＱプロセス番号および空間層識別子によって識別することができる。
【０１２８】
組合せＣＯＭＢ１を、第１空間層の第１データＤ１および第２空間層の少なくとも第２データＤ２の重ね合せを適用することによって判定することができる。第１データＤ１は、たとえば第１空間層の第１ＨＡＲＱプロセスに属することができ、第２データＤ２は、第２空間層の第３ＨＡＲＱプロセスに属することができる。
【０１２９】
図３ａ）に、ダウンリンクＤＬ上で３ＧＰＰ  ＬＴＥまたは３ＧＰＰ  ＨＳＤＰＡで使用されるものなどの８つのＨＡＲＱプロセスＨＰ１〜ＨＰ８を使用する連続するプロセス・トランスポート・ブロック（長方形によって示される）内のデータＤ１からＤ１０の送信と、図２の方法ＭＥＴ１による８つのＨＡＲＱプロセスＨＰ１〜ＨＰ８に関するアップリンクＵＬ上の肯定応答および否定応答Ｎ１、Ｎ２、Ａ３、Ａ４、Ａ５、Ｎ６、Ａ７の送信とを概略的に示す。
【０１３０】
１タイム・スロットＴＳ（３ＧＰＰ  ＬＴＥでは１サブフレームの長さ）の長さをそれぞれが有するプロセス・トランスポート・ブロックは、データＤ１からＤ１０を含み、このデータＤ１からＤ１０は、たとえば、図２に示されたものなど、基地局ＢＳから移動局ＭＳに送信される。
【０１３１】
プロセス・トランスポート・ブロックを受信する移動局ＭＳは、伝送エラーをチェックし、プロセス・トランスポート・ブロックを受信してからたとえば３タイム・スロットＴＳ後に、肯定応答または否定応答Ｎ１、Ｎ２、Ａ３、Ａ４、Ａ５、Ｎ６、Ａ７を送信する。同一の形で、基地局ＢＳは、否定応答Ｎ１、Ｎ２、Ｎ６を受信してからたとえば３から５タイム・スロットＴＳ後の範囲内に、否定応答Ｎ１、Ｎ２、Ｎ６に関する再送信を実行することができる（３ＧＰＰ  ＬＴＥでは、再送信は、非同期ＨＡＲＱプロセスが使用される場合に、否定応答を受信してから少なくとも４サブフレーム後に実行される）。基地局ＢＳが、第１データＤ１に関する第１否定応答Ｎ１を受信する場合に、たとえば３タイム・スロットＴＳの長さの、事前定義の時間間隔ＴＩを開始することができる。時間間隔ＴＩを、基地局ＢＳで、たとえばＯ＆Ｍネットワーク・ノードによって構成することができ（Ｏ＆Ｍ＝Ｏｐｅｒａｔｉｏｎ  ａｎｄ  Ｍａｉｎｔｅｎａｎｃｅ）、時間間隔ＴＩは、データＤ１からＤ１０のサービス品質クラスに依存するものとすることができる。
【０１３２】
時間間隔ＴＩ以内に、基地局ＢＳが第２データＤ２に関する第２の連続する否定応答Ｎ２を受信できる場合には、基地局ＢＳを、第１データＤ１および第２データＤ２のうちの１つのパリティ情報の単一再送信から第１データＤ１および第２データＤ２の組合せＣＯＭＢ１の再送信に切り替えるように構成することができる。第２の否定応答が時間間隔ＴＩ以内に受信されない場合には、基地局ＢＳは、たとえば全体的な送信時間遅れに対する制約を満足するために、第１データＤ１に関する単一再送信を実行することができる。
【０１３３】
第１否定応答Ｎ１および第２否定応答Ｎ２が、時間間隔ＴＩ以内に移動局ＭＳから送信され、組合せＣＯＭＢ１を使用する組み合わされた送信の表示が、時間間隔ＴＩ以内に第１否定応答Ｎ１および第２否定応答Ｎ２を送信することによって移動局ＭＳに暗黙のうちに提供される場合も同様である。
【０１３４】
代替案では、やはり時間間隔ＴＩを知っている移動局ＭＳは、送信された肯定応答または否定応答のタイム・スケールに基づいて、データの新しい初期送信、単一再送信としてのデータの再送信、または同期ＨＡＲＱプロセスの時間制約に起因する組み合わされた再送信としてのデータの再送信をいつ期待できるのかをそれ自体で判定することができる。
【０１３５】
その場合に、ユーザ・データの新しいセットの初期送信を示すか、ユーザ・データの一特定の以前に送信されたセットのユーザ・データの単一再送信を示すか、ユーザ・データの２つの特定の以前に送信されたセットのユーザ・データの組み合わされた再送信を示す明示的表示は、必要ではなく、基地局ＢＳから移動局ＭＳにシグナリングされないものとすることができる。
【０１３６】
第１データＤ１および第２データＤ２の重ね合せを使用することによる第１ＨＡＲＱプロセスＨＰ１の第１データＤ１および第２ＨＡＲＱプロセスＨＰ２の第２データＤ２の組合せＣＯＭＢ１は、１タイム・スロットＴＳの時間長さ（たとえば、３ＧＰＰ  ＬＴＥで使用されるものなどの１サブフレーム）を有する１つのプロセス・トランスポート・ブロックに含まれる。これを行うことができるのは、第１データＤ１および第２データＤ２の組合せが、単一のデータＤ１、Ｄ２のうちのより大きい方より多数のビットを含まないものとすることができるからである。
【０１３７】
無線通信標準規格が、複数のタイム・スロットＴＳにまたがってプロセス・トランスポート・ブロックを拡張することを許容することも可能である。第１データＤ１および第２データＤ２の初期送信を、たとえばシステム帯域幅の半分の帯域幅を用いて実行できる（たとえば、１０ＭＨｚシステム全帯域幅または３ＧＰＰ  ＬＴＥの場合に２０ＭＨｚシステム全帯域幅の半分の帯域幅。システム帯域幅は、たとえば規制当局によってモバイル・オペレータに特に供された帯域幅である）場合に、組合せＣＯＭＢ１の送信を、システム帯域幅の全帯域幅を用いて実行することができる。
【０１３８】
図３ｂ）に、ダウンリンクＤＬ上で３ＧＰＰ  ＬＴＥまたは３ＧＰＰ  ＨＳＤＰＡで使用されるものなどの８つのＨＡＲＱプロセスＨＰ１〜ＨＰ８を使用する連続するプロセス・トランスポート・ブロック（長方形によって示される）内のデータＤ１からＤ１１の送信と、本発明のさらなる実施形態による８つのＨＡＲＱプロセスＨＰ１〜ＨＰ８に関するアップリンクＵＬ上の肯定応答および否定応答Ｎ１、Ａ２、Ａ３、Ａ４、Ａ５、Ｎ６、Ａ７の送信とを概略的に示す。
【０１３９】
図３ｂ）と図３ａ）との間の相違は、移動局ＭＳが、図３ｂ）では第２データＤ２をエラーなしで回復し、したがって、肯定応答Ａ２を基地局ＢＳに送信することである。
【０１４０】
基地局ＢＳは、基地局ＢＳが、時間間隔ＴＩ以内に第１データＤ１に関するさらなる連続する否定応答Ｎ１を受信しなかったことを判定することができる。したがって、基地局ＢＳは、たとえば２を法とする加算を使用することによる第１データＤ１および第９データＤ９の重ね合せを適用することによって、第１データＤ１および以前に送信されなかった第９データＤ９の組合せＣＯＭＢ２を判定する。
【０１４１】
基地局ＢＳでの組合せＣＯＭＢ２のさらなる処理を、図２に従って方法ＭＥＴ１について説明したものに類似して実行することができる。
【０１４２】
基地局ＢＳは、無線リンクＲＬの１つまたは複数の物理リソース・ブロックを介して移動局ＭＳに組合せＣＯＭＢ２の変調され、スクランブルされ、インターリーブされたデータを送信する。
【０１４３】
移動局ＭＳでの受信された組合せＣＯＭＢ２のさらなる処理を、図２に従って方法ＭＥＴ１について説明したものに類似して実行することができる。
【０１４４】
移動局ＭＳは、組合せＣＯＭＢ２の推定値から以前の送信の第１データＤ１の格納された推定値を減算することによって、第９データＤ９を回復する。
Ｄ９＝（Ｄ１＋Ｄ９）−Ｄ１
【０１４５】
移動局ＭＳは、組合せＣＯＭＢ２内の第９データＤ９の初期送信に起因して存在し得ない第９データＤ９の格納された推定値を使用することによるのではなく、組合せＣＯＭＢ２の推定値から回復された第９データＤ９を減算することによって、第１データＤ１を回復することができる。
Ｄ１＝（Ｄ１＋Ｄ９）−Ｄ９
【０１４６】
図４ａ）を参照すると、本発明の実施形態による、第１データＤ１および第２データＤ２の組合せを判定し、物理層処理を実行するブロック図が示されている。
【０１４７】
第１データＤ１および第２データＤ２の重ね合せは、第１データＤ１のビットと第２データＤ２のビットとをビット単位で加算することによって第１データＤ１および第２データＤ２の２を法とする加算ＭＯＤ２ＡＤＤを実行することによって行われる。たとえば、第１データが、１００１０１１１というビット・シーケンスを有し、第２データが、０１１００１１０というビット・シーケンスを有する場合には、２を法とする加算の結果は、
Ｄ１：    １００１０１１１
Ｄ２：＋  ０１１００１１０
−−−−−−−−−−
１１１１０００１
である。
【０１４８】
第１データＤ１のビット長および第２データＤ２のビット長を、たとえばより短いビット長を有するデータのビットの反復によって、２を法とする加算の前に等しくすることができる。
【０１４９】
次のステップでは、ＣＲＣアタッチメントＣＲＣと符号化およびレート・マッチングＣＯＤ／ＲＭとを、符号化されレート・マッチングされた組合せＣＯＭＢ３を得るために適用することができる。
【０１５０】
オプションで、第１データＤ１および／または第２データＤ２の１つまたは複数の物理層処理パラメータを有する制御情報ＣＳＩＢを、たとえば制御情報ＣＳＩＢをメモリ・エリアの第１の場所またはデータ・キューの開始セクションに置くことと、組合せＣＯＭＢ３をメモリ・エリアの第２の場所またはデータ・キューの終了セクションに置くこととによって、メモリ・エリアまたはデータ・キューを使用して、多重化ステップＭＵＸを用いて組合せＣＯＭＢ３に多重化することができる。
【０１５１】
代替案では、制御情報ＣＳＩＢは、メモリ・エリアの第２の場所またはデータ・キューの終了セクションに置かれ、組合せＣＯＭＢ３は、メモリ・エリアの第１の場所またはデータ・キューの開始セクションに置かれる。
【０１５２】
さらなる代替案では、制御情報ＣＳＩＢを、複数の部分に分割することができ、組合せＣＯＭＢ３を、複数のさらなる部分に分割することができ、複数の部分および複数のさらなる部分を、ｚｉｐマージ（ｚｉｐ  ｍｅｒｇｅ）のように多重化することができる。
【０１５３】
次のステップでは、スクランブルおよびインターリーブＳ／Ｉ、変調ＭＯＤ、ならびに物理リソース・マッピングＰＲＭが、無線リンクＲＬを介する送信のために組合せＣＯＭＢ３を準備するために実行される。
【０１５４】
図４ｂ）を参照すると、本発明のさらなる実施形態に従って、第１データＤ１および第２データＤ２の組合せを判定し、物理層処理を実行するブロック図が示されている。
【０１５５】
第１ステップでは、ＣＲＣアタッチメントＣＲＣと符号化およびレート・マッチングＣＯＤ／ＲＭとを、符号化されレート・マッチングされた第１データおよび第２データを得るために、第１データＤ１および第２データＤ２について別々に適用することができる。
【０１５６】
次に、組合せＣＯＭＢ４を得るための符号化されレート・マッチングされた第１データおよび第２データの重ね合せが、符号化されレート・マッチングされた第１データおよび第２データのビットをビット単位で加算することによって符号化されレート・マッチングされた第１データおよび第２データの２を法とする加算ＭＯＤ２ＡＤＤを実行することによって行われる。
【０１５７】
符号化されレート・マッチングされた第１データおよび第２データのビット長を、たとえばより短いビット長を有する符号化されレート・マッチングされたデータのビットの反復によって、２を法とする加算の前に等しくすることができる。好ましくは、符号化されレート・マッチングされた第１データおよび第２データのビット長を、第１データＤ１および第２データＤ２に適切なレート・マッチング関数を適用することによって等しくすることができる。この場合に、追加の等しくするステップは、不要である。
【０１５８】
オプションで、さらなるＣＲＣアタッチメントを、２を法とする加算の後に適用することができる。
【０１５９】
オプションで、第１データＤ１および／または第２データＤ２の１つまたは複数の物理層処理パラメータを伴う制御情報ＣＳＩＢを、たとえば制御情報ＣＳＩＢをメモリ・エリアの第１の場所またはデータ・キューの開始セクションに置くことと、組合せＣＯＭＢ４をメモリ・エリアの第２の場所またはデータ・キューの終了セクションに置くこととによって、メモリ・エリアまたはデータ・キューを使用して、多重化ステップＭＵＸを用いて組合せＣＯＭＢ４に多重化することができる。
【０１６０】
代替案では、制御情報ＣＳＩＢは、メモリ・エリアの第２の場所またはデータ・キューの終了セクションに置かれ、組合せＣＯＭＢ４は、メモリ・エリアの第１の場所またはデータ・キューの開始セクションに置かれる。
【０１６１】
さらなる代替案では、制御情報ＣＳＩＢを、複数の部分に分割することができ、組合せＣＯＭＢ４を、複数のさらなる部分に分割することができ、複数の部分および複数のさらなる部分を、ｚｉｐマージのように多重化することができる。
【０１６２】
次のステップでは、スクランブルおよびインターリーブＳ／Ｉ、変調ＭＯＤ、ならびに物理リソース・マッピングＰＲＭが、無線リンクＲＬを介する送信のために組合せＣＯＭＢ４を準備するために実行される。
【０１６３】
図５ａ）を参照すると、本発明のさらなる実施形態による、第１データＤ１および第２データＤ２の組合せを判定し、物理層処理を実行するブロック図が示されている。
【０１６４】
第１ステップでは、ＣＲＣアタッチメントＣＲＣ、符号化およびレート・マッチングＣＯＤ／ＲＭ、オプションのスクランブルおよびインターリーブＳ／Ｉ、ならびに変調を、変調され、スクランブルされ、符号化され、レート・マッチングされた第１データおよび第２データを得るために、第１データＤ１および第２データＤ２に別々に適用することができる。
【０１６５】
好ましくは、符号化されレート・マッチングされた第１データおよび第２データのビット長を、第１データＤ１および第２データＤ２に適切なレート・マッチング関数を適用することによって等しくすることができる。
【０１６６】
第１データＤ１および第２データＤ２を、ＱＰＳＫ、１６ＱＡＭ、もしくは６４ＱＡＭなどの同一の変調方式を用いて、または異なる変調方式を用いて変調することができる。
【０１６７】
その後、組合せＣＯＭＢ５を得るための変調され、スクランブルされ、符号化され、レート・マッチングされた第１データおよび第２データの重ね合せを、変調され、スクランブルされ、符号化され、レート・マッチングされた第１データおよび第２データの実数振幅の加算ＡＤＤと、変調され、スクランブルされ、符号化され、レート・マッチングされた第１データおよび第２データの虚数振幅値の加算ＡＤＤとを実行することによって判定する。
Ｄ１：ａ１＋ｊ・ｂ１
Ｄ２：ａ２＋ｊ・ｂ２
ＣＯＭＢ５：（ａ１＋ａ２）＋ｊ・（ｂ１＋ｂ２）
【０１６８】
加算ＡＤＤを、重みなしの加算または実数値の重み付け係数ｋ≠１を用いる
ＣＯＭＢ５：（ｋ・ａ１＋（１−ｋ）・ａ２）＋ｊ・（ｋ・ｂ１＋（１−ｋ）・ｂ２）
などの重み付き加算とすることができる。
【０１６９】
重み付け係数ｋを、複素数値、たとえば整数値ｎ、Ｎを用いる式ｅｘｐ（ｊ・２・ｐｉ・ｎ／Ｎ）の擬似乱数とすることもでき、ここで、ｎ＜＝Ｎである。複素数値の重み付け係数を使用して、第１データＤ１および第２データＤ２の破壊的な重ね合せを避けることができる。
【０１７０】
重み付き加算は、たとえば、移動局ＭＳの復号器のソフト信頼性情報を示すインジケータが基地局ＢＳで受信されている場合に適用することができる。このインジケータは、たとえば、第１データＤ１の復号されたソフト・ビット（ｓｏｆｔ  ｂｉｔ）の１０％が信頼できず、第２データＤ２の復号されたソフト・ビットの５０％が信頼できないことを示すことができる。
【０１７１】
したがって、組合せＣＯＭＢ５は、第１データＤ１よりも多くの第２データＤ２に関する情報を含まなければならず、重み付け係数ｋには、たとえば次の値、ｋ＝０．１、をセットすることができる。
【０１７２】
オプションで、第１データＤ１および／または第２データＤ２の１つまたは複数の物理層処理パラメータを伴う制御情報ＣＳＩＢを、たとえば制御情報ＣＳＩＢをメモリ・エリアの第１の場所またはデータ・キューの開始セクションに置くことと、組合せＣＯＭＢ５をメモリ・エリアの第２の場所またはデータ・キューの終了セクションに置くこととによって、メモリ・エリアまたはデータ・キューを使用して、スクランブルし、インターリーブしＳ／Ｉ、変調しＭＯＤ、多重化ステップＭＵＸを用いて組合せＣＯＭＢ５に多重化することができる。
【０１７３】
代替案では、制御情報ＣＳＩＢは、メモリ・エリアの第２の場所またはデータ・キューの終了セクションに置かれ、組合せＣＯＭＢ５は、メモリ・エリアの第１の場所またはデータ・キューの開始セクションに置かれる。
【０１７４】
さらなる代替案では、制御情報ＣＳＩＢを、複数の部分に分割することができ、組合せＣＯＭＢ５を、複数のさらなる部分に分割することができ、複数の部分および複数のさらなる部分を、ｚｉｐマージのように多重化することができる。
【０１７５】
制御情報ＣＳＩＢに関する別々のスクランブル／インターリーブ方式および別々の変調方式が、好ましくは基地局ＢＳおよび移動局ＭＳで事前に定義される。代替案では、制御情報ＣＳＩＢの別々のスクランブル／インターリーブ方式および別々の変調方式に関する表示が、ダウンリンク制御チャネル上で送信される。
【０１７６】
次のステップでは、スクランブルおよびインターリーブＳ／Ｉと物理リソース・マッピングＰＲＭとが、無線リンクＲＬを介する送信のために組合せＣＯＭＢ５を準備するために実行される。
【０１７７】
図６を参照すると、本発明のさらなる実施形態による方法ＭＥＴ２の流れ図が示されている。方法ＭＥＴ２は、基地局ＢＳから移動局ＭＳへのダウンリンク・ユーザ・データのダウンリンク送信に関して図示されている。中継局が基地局ＢＳと移動局ＭＳとの間で使用される場合には、類似するダウンリンク方法を、基地局ＢＳと中継局との間および／または中継局と移動局ＭＳとの間で実行することができる。
【０１７８】
当業者が理解できるように、類似する方法を、移動局ＭＳから基地局ＢＳへのアップリンク・ユーザ・データのアップリンク送信について実行することができる。中継局が移動局ＭＳと基地局ＢＳとの間で使用される場合には、類似するアップリンク方法を、移動局ＭＳと中継局との間および／または中継局と基地局ＢＳとの間で実行することができる。
【０１７９】
方法ＭＥＴ２の始めに、基地局ＢＳは、第１送信および再送信方式Ｔ−ＲＴ−Ｓ１に基づいて、移動局ＭＳにデータを送信し、再送信することができる。第１送信および再送信方式Ｔ−ＲＴ−Ｓ１は、たとえば、移動局ＭＳによってまだ肯定応答されていないデータに関するデータの単一の別々の再送信を伴う複数のＨＡＲＱプロセスである。方法ＭＥＴ２を実行するステップの個数は、クリティカルではなく、当業者が理解できるように、ステップの個数およびステップの順序を、本発明の範囲から逸脱せずに変更することができる。
【０１８０】
ステップＭ２／１では、基地局ＢＳが、基地局ＢＳから移動局ＭＳへの送信および再送信を適合させるトリガを受信することができる。このトリガは、たとえば、時間間隔ＴＩ以内の複数の否定応答の受信の表示とすることができる（図３ａを参照されたい）。代替案では、このトリガを、移動局ＭＳで動作しているサービスが現在動作しているサービスのＱｏＳとは異なるＱｏＳを要求するという変化とすることができる。まず非リアルタイム・バックグラウンド・サービスのＱｏＳクラスに属するウェブ・ブラウジングを実行する移動局ＭＳのユーザが、今や、リアルタイム・サービスのＱｏＳに属するモバイルから発する呼をセットアップすることを望む。さらなる代替案では、このトリガは、シグナリングのための無線リソースが過負荷になる可能性があることを示すことができる。
【０１８１】
次のステップＭ２／２では、基地局ＢＳが、データの単一の別々の再送信を用いる第１送信および再送信方式Ｔ−ＲＴ−Ｓ１から、組合せＣＯＭＢ１、ＣＯＭＢ２、ＣＯＭＢ３、ＣＯＭＢ４、ＣＯＭＢ５のうちの１つを使用するデータの組み合わされた再送信を用いる第２送信および再送信方式Ｔ−ＲＴ−Ｓ２に切り替える。
【０１８２】
同様に、基地局ＢＳは、さらなるトリガが受信される場合に、第２送信および再送信方式Ｔ−ＲＴ−Ｓ２からデータの単一の別々の再送信を用いる第１送信および再送信方式Ｔ−ＲＴ−Ｓ１に戻って切り替えることができる。
【０１８３】
さらなる代替案では、第１送信および再送信方式Ｔ−ＲＴ−Ｓ１を、第１データＤ１および第２データＤ２の組み合わされた再送信を用いる組合せＣＯＭＢ１を適用することに基づくものとすることができ、第２送信および再送信方式Ｔ−ＲＴ−Ｓ２を、第１データＤ１の再送信および第２データＤ２の第１送信を用いる組合せＣＯＭＢ２を適用することに基づくものとすることができる。基地局ＢＳ２は、たとえば、１つの否定応答だけが時間間隔ＴＩ以内に受信された（図３を参照されたい）場合またはまだ送信されていない第２データＤ２が遅延要件に起因して即座の送信を必要とする場合に、組合せＣＯＭＢ１から組合せＣＯＭＢ２に切り替えることができる。
【０１８４】
さらなる代替案では、第１送信および再送信方式Ｔ−ＲＴ−Ｓ１を、第１データＤ１および第２データＤ２の組み合わされた再送信を用いる組合せＣＯＭＢ１を適用することに基づくものとすることができ、第２送信および再送信方式Ｔ−ＲＴ−Ｓ２を、第１データＤ１の再送信および第２データＤ２の第１送信を用いる組合せＣＯＭＢ６を適用することに基づくものとすることができる。図５ｂ）は、さらなる代替案による、第１データＤ１および第２データＤ２の組合せＣＯＭＢ６を判定し、物理層処理を実行するブロック図を示す。組合せＣＯＭＢ６は、たとえば、第１データＤ１をメモリ・エリアの第１の場所またはデータ・キューの開始セクションに置くことと、第２データＤ２をメモリ・エリアの第２の場所またはデータ・キューの終了セクションに置くこととによって、メモリ・エリアまたはデータ・キューを使用して、第１データＤ１を第２データＤ２に多重化ＭＵＸ−Ｄ１−Ｄ２することによって判定される。
【０１８５】
代替案では、第１データＤ１は、メモリ・エリアの第２の場所またはデータ・キューの終了セクションに置かれ、第２データＤ２は、メモリ・エリアの第１の場所またはデータ・キューの開始セクションに置かれる。
【０１８６】
さらなる代替案では、第１データＤ１を、複数の部分に分割することができ、第２データＤ２を、複数のさらなる部分に分割することができ、複数の部分および複数のさらなる部分を、ｚｉｐマージのように多重化することができる。
【０１８７】
オプションで、第１データＤ１および／または第２データＤ２の１つまたは複数の物理層処理パラメータを伴う制御情報ＣＳＩＢを、たとえば制御情報ＣＳＩＢをメモリ・エリアの第１の場所またはデータ・キューの開始セクションに置くことと、組合せＣＯＭＢ６をメモリ・エリアの第２の場所またはデータ・キューの終了セクションに置くこととによって、メモリ・エリアまたはデータ・キューを使用して、さらなる多重化ステップＭＵＸを用いて組合せＣＯＭＢ６に多重化することができる。
【０１８８】
代替案では、制御情報ＣＳＩＢは、メモリ・エリアの第２の場所またはデータ・キューの終了セクションに置かれ、組合せＣＯＭＢ６は、メモリ・エリアの第１の場所またはデータ・キューの開始セクションに置かれる。
【０１８９】
さらなる代替案では、制御情報ＣＳＩＢを、複数の部分に分割することができ、組合せＣＯＭＢ６を、複数のさらなる部分に分割することができ、複数の部分および複数のさらなる部分を、ｚｉｐマージのように多重化することができる。
【０１９０】
次のステップでは、スクランブルおよびインターリーブＳ／Ｉ、変調ＭＯＤ、ならびに物理リソース・マッピングＰＲＭが、無線リンクＲＬを介する送信のために組合せＣＯＭＢ６を準備するために実行される。
【０１９１】
基地局ＢＳ２は、たとえば移動局ＭＳで動作するサービスのＱｏＳクラスの変更（たとえば、新しいサービスがより短い最大送信遅延を要求する）に起因して、組み合わされた再送信を適合させる必要がある場合、および組合せＣＯＭＢ６がたとえば組合せＣＯＭＢ１より伝送エラーに対して頑健であると評価された場合に、組合せＣＯＭＢ１から組合せＣＯＭＢ６に切り替えることができる。
【０１９２】
図７ａ）を参照すると、本発明の代替実施形態による、制御チャネル上で送信される制御シグナリング・ビットの複数のフィールドのブロック図が示されている。制御シグナリング・ビットを、基地局ＢＳから移動局ＭＳへのデータの送信および再送信ごとに送信することができる。
【０１９３】
制御チャネルを、たとえば、Ｈｉｇｈ  Ｓｐｅｅｄ  Ｓｈａｒｅｄ  Ｃｏｎｔｒｏｌ  Ｃｈａｎｎｅｌ（ＨＳ−ＳＣＣＨ）などのＨＳＰＡの共有制御チャネルまたはＰｈｙｓｉｃａｌ  Ｄｏｗｎｌｉｎｋ  Ｃｏｎｔｒｏｌ  Ｃｈａｎｎｅｌ（ＰＤＣＣＨ）などのＬＴＥの共有制御チャネルとすることができる。制御チャネル上の制御シグナリング・ビットのシーケンスを、たとえば、図７ａ）に示されているようにＬＴＥ  Ｒｅｌｅａｓｅ  ８のＤＣＩフォーマット１に基づいてダウンリンク・スケジューリング・グラント内で提供することができる。
【０１９４】
制御チャネル上の制御シグナリング情報は、たとえば１ビットを有するリソース割当ヘッダＲＡＨと、複数のビットまたはバイトを有する組合せＣＯＭＢ１、ＣＯＭＢ２、ＣＯＭＢ３、ＣＯＭＢ４、ＣＯＭＢ５、ＣＯＭＢ６のリソース・ブロック割当ＲＢＡとを含むことができる。
【０１９５】
リソース・ブロック割当ＲＢＡは、使用される周波数搬送波の情報に加えて、割り当てられたリソースのどの部分が組合せＣＯＭＢ１、ＣＯＭＢ２、ＣＯＭＢ３、ＣＯＭＢ４、ＣＯＭＢ５、ＣＯＭＢ６を含むのか、およびどのさらなる部分が制御情報ＣＳＩＢを含むのかの情報をも提供することができる。
【０１９６】
制御チャネル上の制御シグナリング情報は、さらに、たとえば組合せＣＯＭＢ１、ＣＯＭＢ２、ＣＯＭＢ３、ＣＯＭＢ４、ＣＯＭＢ５、ＣＯＭＢ６の第１データＤ１について５ビットを使用する第１変調および／または符号化方式ＭＣＳ１（第１トランスポート・ブロック・サイズＴＢＳ１は、変調および符号化方式ＭＣＳ１が、３ＧＰＰ  ＬＴＥで提案されるように与えられる場合には、暗黙のうちに与えられるものとすることができる。３ＧＰＰ  ＴＳ  ３６．２１３  Ｃｈａｐｔｅｒ  ７．１．７．１を参照されたい）、たとえば組合せＣＯＭＢ１、ＣＯＭＢ２、ＣＯＭＢ３、ＣＯＭＢ４、ＣＯＭＢ５、ＣＯＭＢ６の第１データＤ１について３ビットを使用する第１ＨＡＲＱプロセス番号ＨＰＮ１、たとえば１ビットを使用する（送信は、初期送信であり、再送信はない）新規データ・インジケータＮＤＩ、たとえば組合せＣＯＭＢ１、ＣＯＭＢ２、ＣＯＭＢ３、ＣＯＭＢ４、ＣＯＭＢ５、ＣＯＭＢ６の第１データＤ１について２ビットを使用する第１冗長性バージョンＲＶ１、物理アップリンク制御チャネルのＴＰＣコマンド（ＴＰＣ＝Ｔｒａｎｓｍｉｓｓｉｏｎ  Ｐｏｗｅｒ  Ｃｏｎｔｒｏｌ）ＴＰＣＣ、ならびにたとえば１ビットを使用する組合せＣＯＭＢ１、ＣＯＭＢ２、ＣＯＭＢ３、ＣＯＭＢ４、ＣＯＭＢ５、ＣＯＭＢ６の送信のインジケータＣＩを含むことができる。
【０１９７】
インジケータＣＩは、その代わりに複数のビットを含むことができ、送信が組み合わされた送信であることに加えて、組合せＣＯＭＢ１または組合せＣＯＭＢ６など、組合せのタイプを示すことができる。
【０１９８】
第２データＤ２またはさらなるユーザ・データの物理層処理パラメータを、インバンド・シグナリング（図７ｂ）を参照されたい）を介して基地局ＢＳから移動局ＭＳに提供することができる。
【０１９９】
代替案では、基地局ＢＳと移動局ＭＳとの間の無線リンクＲＬが、複数の並列ストリームを用いるＭＩＭＯチャネルに基づく（ＭＩＭＯ＝ｍｕｌｔｉｐｌｅ  ｉｎｐｕｔ  ｍｕｌｔｉｐｌｅ  ｏｕｔｐｕｔ）場合に、第１ＨＡＲＱプロセス番号ＨＰＮ１は、さらに、複数のストリームのＨＡＲＱプロセスの間で区別することができる。
【０２００】
追加のインジケータＣＩを使用する代わりに、たとえばＬＴＥでは、たとえば２９、３０、または３１の値を含む、３ＧＰＰ  ＴＳ  ３６．２１３で与えられるＩ＿ＭＣＳパラメータなど、未使用のペイロード組合せを使用することができる。
【０２０１】
さらなる代替案では、組合せＣＯＭＢ１、ＣＯＭＢ２、ＣＯＭＢ３、ＣＯＭＢ４、ＣＯＭＢ５、ＣＯＭＢ６が永久的に再送信に適用され、単一ユーザ・データの再送信が発生し得ない場合に、新規データ・インジケータＮＤＩを再定義して、新規の初期送信または組合せＣＯＭＢ１、ＣＯＭＢ２、ＣＯＭＢ３、ＣＯＭＢ４、ＣＯＭＢ５、ＣＯＭＢ６の送信を示すことができる。
【０２０２】
追加の代替案（図７ａ）には図示せず）によれば、たとえば３ＧＰＰ  ＬＴＥのダウンリンク・スケジューリング・グラントを使用する制御チャネル上の制御シグナリング・ビットのシーケンスは、さらに、組合せＣＯＭＢ１、ＣＯＭＢ２、ＣＯＭＢ３、ＣＯＭＢ４、ＣＯＭＢ５、ＣＯＭＢ６で組み合わされるユーザ・データＤ１、Ｄ２、…の個数を示すパラメータ、加算を実行するための重み付け係数（図５ａ）を参照されたい）、第２データＤ２の第２ＨＡＲＱプロセス番号、第２データＤ２の第２冗長性バージョン、第２データＤ２の第２変調および符号化方式、ならびに／または第２データＤ２の第２トランスポート・ブロック・サイズを含むことができる。
【０２０３】
図７ｂ）を参照すると、本発明のさらなる代替実施形態による、組合せＣＯＭＢ１、ＣＯＭＢ２、ＣＯＭＢ３、ＣＯＭＢ４、ＣＯＭＢ５、ＣＯＭＢ６の一部としてのインバンド制御シグナリング・ビットのシーケンスならびに制御シグナリング・ビットのシーケンスの符号化およびレート・マッチングのブロック図が示されている。インバンドは、制御シグナリング・ビットを第１データＤ１および第２データＤ２の組合せＣＯＭＢ１、ＣＯＭＢ２、ＣＯＭＢ３、ＣＯＭＢ４、ＣＯＭＢ５、ＣＯＭＢ６に多重化できることを意味する。
【０２０４】
制御シグナリング・ビットのシーケンスは、変調された第１データＤ１および第２データＤ２の加算を実行するための重み付け係数ＷＦを含むことができる（図５ａ）を参照されたい）。制御シグナリング・ビットのシーケンスは、さらに、組合せＣＯＭＢ１、ＣＯＭＢ２、ＣＯＭＢ３、ＣＯＭＢ４、ＣＯＭＢ５、ＣＯＭＢ６の第２データＤ２の第２ＨＡＲＱプロセス番号ＨＰＮ２、たとえば組合せＣＯＭＢ１、ＣＯＭＢ２、ＣＯＭＢ３、ＣＯＭＢ４、ＣＯＭＢ５、ＣＯＭＢ６の第２データＤ２について２ビットを使用する第２冗長性バージョンＲＶ２、たとえば組合せＣＯＭＢ１、ＣＯＭＢ２、ＣＯＭＢ３、ＣＯＭＢ４、ＣＯＭＢ５、ＣＯＭＢ６の第２データＤ２について５ビットを使用する第２変調および／または符号化方式ＭＣＳ２、ならびにオプションでパディング情報Ｐおよび／またはＣＲＣ情報ＣＲＣ−ＩＮＦＯを含むことができる。
【０２０５】
制御シグナリング・ビットのそのようなシーケンスは、第１データＤ１の物理層処理パラメータが制御チャネル上で別々に送信される場合に使用することができる（図７ａ）を参照されたい）。
【０２０６】
さらなる代替案では、組合せＣＯＭＢ１、ＣＯＭＢ２、ＣＯＭＢ３、ＣＯＭＢ４、ＣＯＭＢ５、ＣＯＭＢ６内の第１データＤ１の第１トランスポート・ブロック・サイズＴＢＳ１ＲＴおよび組合せＣＯＭＢ１、ＣＯＭＢ２、ＣＯＭＢ３、ＣＯＭＢ４、ＣＯＭＢ５、ＣＯＭＢ６内の第２データＤ２の第２トランスポート・ブロック・サイズＴＢＳ２ＲＴを、ＴＢＳ１ＲＴ＝ＴＢＳ２ＲＴである第１トランスポート・ブロック・サイズＴＢＳ１ＲＴおよび第２トランスポート・ブロック・サイズＴＢＳ２ＲＴの事前定義の等化を基地局ＢＳで適用することによって、またはＴＢＳ１ＲＴ＝ＴＢＳ１Ｔ１／（ＴＢＳ１Ｔ１＋ＴＢＳ２Ｔ１）およびＴＢＳ２ＲＴ＝ＴＢＳ２Ｔ１／（ＴＢＳ１Ｔ１＋ＴＢＳ２Ｔ１）などの事前定義の関数を基地局ＢＳで適用することによって、基地局ＢＳおよび移動局ＭＳで暗黙のうちに定義することができ、ここで、ＴＢＳ１Ｔ１は、第１データＤ１の第１送信のトランスポート・ブロック・サイズであり、ＴＢＳ２Ｔ１は、第２データＤ２の第１送信のトランスポート・ブロック・サイズである。
【０２０７】
代替案では、組合せＣＯＭＢ１、ＣＯＭＢ２、ＣＯＭＢ３、ＣＯＭＢ４、ＣＯＭＢ５、ＣＯＭＢ６の一部としての制御シグナリング・ビットのシーケンスは、上で与えた物理層処理パラメータのサブセットを含むことができる。
【０２０８】
さらなる代替案では、組合せＣＯＭＢ１、ＣＯＭＢ２、ＣＯＭＢ３、ＣＯＭＢ４、ＣＯＭＢ５、ＣＯＭＢ６の一部としての制御シグナリング・ビットのシーケンスは、さらに、組合せＣＯＭＢ１、ＣＯＭＢ２、ＣＯＭＢ３、ＣＯＭＢ４、ＣＯＭＢ５、ＣＯＭＢ６の第１データＤ１の第１トランスポート・ブロック・サイズＴＢＳ１を含む第１変調および符号化方式ＭＣＳ１、組合せＣＯＭＢ１、ＣＯＭＢ２、ＣＯＭＢ３、ＣＯＭＢ４、ＣＯＭＢ５、ＣＯＭＢ６の第１データＤ１の第１ＨＡＲＱプロセス番号ＨＰＮ１、ならびに／または組合せＣＯＭＢ１、ＣＯＭＢ２、ＣＯＭＢ３、ＣＯＭＢ４、ＣＯＭＢ５、ＣＯＭＢ６の第１データＤ１の第１冗長性バージョンＲＶ１を含むことができる。
【０２０９】
さらなる代替案では、組合せＣＯＭＢ１、ＣＯＭＢ２、ＣＯＭＢ３、ＣＯＭＢ４、ＣＯＭＢ５、ＣＯＭＢ６の一部としての制御シグナリング・ビットのシーケンスは、ユーザ・データＵＤ１、ＵＤ２…の３つ以上の初期送信の組み合わされた再送信の物理層処理パラメータを含むことができる。
【０２１０】
制御シグナリング・ビットのシーケンスは、符号語ビットＣＢを得るために誤り訂正符号化ステップＥＣＥで誤り訂正符号化され、符号語ビットＣＢは、たとえば、誤り訂正符号化されレート・マッチングされた制御シグナリング・ビットＣＳＩＢを得るために、レート・マッチング・ステップＲＭで事前定義のＲＶパラメータ（ＲＶ＝ｒｅｄｕｎｄａｎｃｙ  ｖｅｒｓｉｏｎ（冗長性バージョン））を適用することによって、自己復号可能な形でレート・マッチングされる。代替案では、符号語ビットＣＢのＲＶパラメータおよび／または符号化方式を、ダウンリンク制御チャネルで適用されるものと同一の符号化方式を使用することによって、暗黙のうちに定義することができる。
【０２１１】
誤り訂正符号化されレート・マッチングされた制御シグナリング・ビットＣＳＩＢを、図４および５に示されているように組合せＣＯＭＢ１、ＣＯＭＢ２、ＣＯＭＢ３、ＣＯＭＢ４、ＣＯＭＢ５、ＣＯＭＢ６に多重化することができる。
【０２１２】
スクランブルおよびインターリーブ方式などの物理層処理パラメータの一部は、基地局ＢＳの無線セルＲＣ内の移動局ＭＳの滞在中に変更されない可能性があり、したがって、基地局ＢＳで事前に定義することができ、たとえば無線セルＲＣに入る間に移動局ＭＳで事前に定義することができる。
【０２１３】
第１ＨＡＲＱプロセス番号ＨＰＮ１および第２ＨＡＲＱプロセス番号ＨＰＮ２などのさらなる物理層処理パラメータは、たとえば同期ＨＡＲＱプロセスが送信、肯定応答または否定応答、および再送信の間の固定タイミングまたは事前定義のタイミングと共に使用される場合に、基地局ＢＳおよび移動局ＭＳで暗黙のうちに定義することができ、基地局ＢＳから移動局ＭＳに明示的にシグナリングされる必要がない。そうであっても、誤り訂正符号化ＥＣＥは、組合せＣＯＭＢ１、ＣＯＭＢ２、ＣＯＭＢ３、ＣＯＭＢ４、ＣＯＭＢ５、ＣＯＭＢ６がダウンリンク制御チャネルで適用されるものと同一の符号化方式を使用する場合に、基地局ＢＳおよび移動局ＭＳで暗黙のうちにまたは事前に定義することができ、基地局ＢＳから移動局ＭＳに明示的にシグナリングされる必要がない。
【０２１４】
移動局ＭＳから基地局ＢＳへのアップリンク送信について第１データＤ１および第２データＤ２の重ね合せを適用することによる第１データＤ１および第２データＤ２の組合せＣＯＭＢ１、ＣＯＭＢ２、ＣＯＭＢ３、ＣＯＭＢ４、ＣＯＭＢ５の判定の場合に、基地局ＢＳは、移動局ＭＳが組合せＣＯＭＢ１、ＣＯＭＢ２、ＣＯＭＢ３、ＣＯＭＢ４、ＣＯＭＢ５の送信を適用しなければならないことを移動局ＭＳにシグナリングすることができ、さらに、どの組合せタイプＣＯＭＢ１、ＣＯＭＢ２、ＣＯＭＢ３、ＣＯＭＢ４、ＣＯＭＢ５を適用しなければならないのかをシグナリングすることができ、さらに、第１データＤ１および第２データＤ２に関する符号化方式または変調方式などの、図７ａ）および／またはｂ）に示された物理層処理パラメータの１つまたは複数の表示をシグナリングすることができる。
【０２１５】
図８ａ）を参照すると、基地局ＢＳは、アンテナ・システムＢＳ−ＡＳ、トランシーバＢＳ−ＴＲ、ＣＰＵ（ＣＰＵ＝ｃｅｎｔｒａｌ  ｐｒｏｃｅｓｓｉｎｇ  ｕｎｉｔ（中央処理装置））ＢＳ−ＣＰＵ、およびコンピュータ可読媒体ＢＳ−ＭＥＭを含むことができる。ＣＰＵ  ＢＳ−ＣＰＵおよびコンピュータ可読媒体ＢＳ−ＭＥＭは、基地局ＢＳのディジタル・ベースバンド基板に基づくものとすることができる。ＣＰＵ  ＢＳ−ＣＰＵは、コンピュータ可読プログラムＢＳ−ＰＲＯＧを実行すると予見される。
【０２１６】
アンテナ・システムＢＳ−ＡＳは、無線セルＲＣの無線カバレージ・エリア用の第１アンテナ要素ＢＳ−ＡＥ１、第２アンテナ要素ＢＳ−ＡＥ２、第３アンテナ要素ＢＳ−ＡＥ３、および第４アンテナ要素ＢＳ−ＡＥ４を含むことができる。さらなる代替案では、アンテナ・システムＢＳ−ＡＳは、１つ、２つ、３つ、または５つ以上のアンテナ要素を含むことができる。
【０２１７】
トランシーバＢＳ−ＴＲは、ダウンリンク通信に関して、データＤ１からＤ１０（図３ａ）を参照されたい）またはＤ１からＤ１１（図３ｂ）を参照されたい）を、単一送信または組合せＣＯＭＢ１、ＣＯＭＢ２、ＣＯＭＢ３、ＣＯＭＢ４、ＣＯＭＢ５、ＣＯＭＢ６の送信として、アンテナ・システムＢＳ−ＡＳを介して移動局ＭＳに送信し、アンテナ・システムＢＳ−ＡＳを介して肯定応答または否定応答を受信する。代替案では、メッセージの送信の方向が、アップリンク通信について逆転される。
【０２１８】
コンピュータ可読媒体ＢＳ−ＭＥＭは、コンピュータ可読プログラムＢＳ−ＰＲＯＧを格納すると予見される。コンピュータ可読プログラムＢＳ−ＰＲＯＧは、基地局ＢＳに属する方法ＭＥＴ１およびＭＥＴ２のステップを実行すると予見される。
【０２１９】
具体的には、コンピュータ可読プログラムＢＳ−ＰＲＯＧは、第１データＤ１および１つまたは複数の第２データＤ２の重ね合せを適用することによって組合せＣＯＭＢ１、ＣＯＭＢ２、ＣＯＭＢ３、ＣＯＭＢ４、ＣＯＭＢ５を判定することができ、あるいは第１データＤ１および第２データＤ２を多重化することによって組合せＣＯＭＢ６を判定することができ（ダウンリンク送信の場合に）、組合せＣＯＭＢ１、ＣＯＭＢ２、ＣＯＭＢ３、ＣＯＭＢ４、ＣＯＭＢ５の推定値から少なくとも１つの以前の送信の第１データＤ１の推定値を減算することと、組合せＣＯＭＢ１、ＣＯＭＢ２、ＣＯＭＢ３、ＣＯＭＢ４、ＣＯＭＢ５の推定値から第２データＤ２を減算することとによって、第１データＤ１および第２データＤ２を回復することができ、あるいは、組合せＣＯＭＢ６から第１データＤ１および第２データＤ２を多重分離することによって第１データＤ１および第２データＤ２を回復することができる（アップリンク送信の場合に）。
【０２２０】
図８ｂ）を参照すると、中継局ＲＳは、第１アンテナ・システムＲＳ−ＡＳ１、第１トランシーバＲＳ−ＴＲ１、第２アンテナ・システムＲＳ−ＡＳ２、第２トランシーバＲＳ−ＴＲ２、ＣＰＵ  ＲＳ−ＣＰＵ、およびコンピュータ可読媒体ＲＳ−ＭＥＭを含むことができる。ＣＰＵ  ＲＳ−ＣＰＵおよびコンピュータ可読媒体ＲＳ−ＭＥＭは、中継局ＲＳのディジタル・ベースバンド基板に基づくものとすることができる。ＣＰＵ  ＲＳ−ＣＰＵは、コンピュータ可読プログラムＲＳ−ＰＲＯＧを実行すると予見される。
【０２２１】
第１アンテナ・システムＲＳ−ＡＳ１は、第１アンテナ要素ＲＳ−ＡＥ１および第２アンテナ要素ＲＳ−ＡＥ２を含むことができる。さらなる代替案では、第１アンテナ・システムＲＳ−ＡＳ１は、１つまたは３つ以上のアンテナ要素を含むことができる。
【０２２２】
第１トランシーバＲＳ−ＴＲ１は、中継局ＲＳを介する移動局ＭＳと基地局ＢＳとの間のアップリンク通信に関して、データＤ１からＤ１０（図３ａ）を参照されたい）またはＤ１からＤ１１（図３ｂ）を参照されたい）を、単一送信または組合せＣＯＭＢ１、ＣＯＭＢ２、ＣＯＭＢ３、ＣＯＭＢ４、ＣＯＭＢ５、ＣＯＭＢ６の送信として、第１アンテナ・システムＲＳ−ＡＳ１を介して基地局ＢＳに送信し、第１アンテナ・システムＲＳ−ＡＳ１を介して肯定応答または否定応答を受信する。代替案では、メッセージの送信の方向が、ダウンリンク通信について逆転される。
【０２２３】
第２トランシーバＲＳ−ＴＲ２は、中継局ＲＳを介する基地局ＢＳと移動局ＭＳとの間のダウンリンク通信に関して、データＤ１からＤ１０（図３ａ）を参照されたい）またはＤ１からＤ１１（図３ｂ）を参照されたい）を、単一送信または組合せＣＯＭＢ１、ＣＯＭＢ２、ＣＯＭＢ３、ＣＯＭＢ４、ＣＯＭＢ５、ＣＯＭＢ６の送信として、第２アンテナ・システムＲＳ−ＡＳ２を介して移動局ＭＳに送信し、第２アンテナ・システムＲＳ−ＡＳ２を介して肯定応答または否定応答を受信する。代替案では、メッセージの送信の方向が、アップリンク通信について逆転される。
【０２２４】
コンピュータ可読媒体ＲＳ−ＭＥＭは、コンピュータ可読プログラムＲＳ−ＰＲＯＧを格納すると予見される。コンピュータ可読プログラムＲＳ−ＰＲＯＧは、中継局ＲＳに属する方法ＭＥＴ１およびＭＥＴ２のステップを実行すると予見される。
【０２２５】
具体的には、コンピュータ可読プログラムＲＳ−ＰＲＯＧは、第１データＤ１および１つまたは複数の第２データＤ２の重ね合せを適用することによって組合せＣＯＭＢ１、ＣＯＭＢ２、ＣＯＭＢ３、ＣＯＭＢ４、ＣＯＭＢ５を判定することができ、あるいは第１データＤ１および第２データＤ２を多重化することによって組合せＣＯＭＢ６を判定することができ（中継局ＲＳから移動局ＭＳまたは基地局ＢＳへの送信の場合に）、組合せＣＯＭＢ１、ＣＯＭＢ２、ＣＯＭＢ３、ＣＯＭＢ４、ＣＯＭＢ５の推定値から少なくとも１つの以前の送信の第１データＤ１の推定値を減算することと、組合せＣＯＭＢ１、ＣＯＭＢ２、ＣＯＭＢ３、ＣＯＭＢ４、ＣＯＭＢ５の推定値から第２データＤ２を減算することとによって、第１データＤ１および第２データＤ２を回復することができ、あるいは、組合せＣＯＭＢ６から第１データＤ１および第２データＤ２を多重分離することによって第１データＤ１および第２データＤ２を回復することができる（移動局ＭＳまたは基地局ＢＳから中継局ＲＳへの送信の場合に）。
【０２２６】
図９を参照すると、移動局ＭＳは、アンテナ・システムＭＳ−ＡＳ、トランシーバＭＳ−ＴＲ、ＣＰＵ（ＣＰＵ＝ｃｅｎｔｒａｌ  ｐｒｏｃｅｓｓｉｎｇ  ｕｎｉｔ（中央処理装置））ＭＳ−ＣＰＵ、およびコンピュータ可読媒体ＭＳ−ＭＥＭを含む。ＣＰＵ  ＭＳ−ＣＰＵおよびコンピュータ可読媒体ＭＳ−ＭＥＭは、移動局ＭＳのディジタル・ベースバンド基板に基づくものとすることができる。ＣＰＵ  ＭＳ−ＣＰＵは、コンピュータ可読プログラムＭＳ−ＰＲＯＧを実行すると予見される。
【０２２７】
アンテナ・システムＭＳ−ＡＳは、第１アンテナ要素ＭＳ−ＡＥ１および第２アンテナ要素ＭＳ−ＡＥ２を含むことができる。代替案では、アンテナ・システムＭＳ−ＡＳは、１つのアンテナ要素または３つ以上のアンテナ要素を含むことができる。
【０２２８】
トランシーバＭＳ−ＴＲは、ダウンリンク通信に関して、データＤ１からＤ１０（図３ａ）を参照されたい）またはＤ１からＤ１１（図３ｂ）を参照されたい）を、単一送信または組合せＣＯＭＢ１、ＣＯＭＢ２、ＣＯＭＢ３、ＣＯＭＢ４、ＣＯＭＢ５、ＣＯＭＢ６の送信として、アンテナ・システムＭＳ−ＡＳを介して基地局ＢＳまたは中継局ＲＳから受信し、アンテナ・システムＭＳ−ＡＳを介して肯定応答または否定応答を送信する。代替案では、メッセージの送信の方向が、アップリンク通信について逆転される。
【０２２９】
コンピュータ可読媒体ＭＳ−ＭＥＭは、コンピュータ可読プログラムＭＳ−ＰＲＯＧを格納すると予見される。コンピュータ可読プログラムＭＳ−ＰＲＯＧは、移動局ＭＳに属する方法ＭＥＴ１およびＭＥＴ２のステップを実行すると予見される。
【０２３０】
具体的には、コンピュータ可読プログラムＲＳ−ＰＲＯＧは、組合せＣＯＭＢ１、ＣＯＭＢ２、ＣＯＭＢ３、ＣＯＭＢ４、ＣＯＭＢ５の推定値から少なくとも１つの以前の送信の第１データＤ１の推定値を減算することと、組合せＣＯＭＢ１、ＣＯＭＢ２、ＣＯＭＢ３、ＣＯＭＢ４、ＣＯＭＢ５の推定値から第２データＤ２を減算することとによって、第１データＤ１および第２データＤ２を回復することができ、あるいは、組合せＣＯＭＢ６から第１データＤ１および第２データＤ２を多重分離することによって第１データＤ１および第２データＤ２を回復することができ（ダウンリンク送信の場合に）、あるいは、第１データＤ１および１つまたは複数の第２データＤ２の重ね合せを適用することによって組合せＣＯＭＢ１、ＣＯＭＢ２、ＣＯＭＢ３、ＣＯＭＢ４、ＣＯＭＢ５を判定することができ、あるいは、第１データＤ１および第２データＤ２を多重化することによって組合せＣＯＭＢ６を判定することができる（アップリンク送信の場合に）。
【図１】
0005643429.tif 000004
【図２】
0005643429.tif 000005
【図３】
0005643429.tif 000006
【図４】
0005643429.tif 000007
【図５】
0005643429.tif 000008
【図６】
0005643429.tif 000009
【図７】
0005643429.tif 000010
【図８】
0005643429.tif 000011
【図９】
0005643429.tif 000012